(57)【要約】【課題】転送手段の転送能力によって、フレームの切り替え周期内に該フレームの全ての画像データを転送することができない場合にも、画像表示装置における表示画像の精細さの低下を抑制する。【解決手段】フレーム中に表示させる画像データをこのフレームを構成する複数のサブフレーム毎に表示位置をずらして画像を切り替え表示する画像表示装置に対して画像データを転送するデータ転送処理装置で、全てのサブフレームを一巡するように順序付ける巡回順序にしたがって特定されるサブフレームに対応する分割画像データを取得し（ステップＳ３）、この分割データが対応する前画像データと非同一である場合に（Ｓ４のＹ）、この分割データを画像表示装置における画像の切り替えとは非同期で転送するようにした（Ｓ６）。【選択図】　　図４
2004015466.tif 000002
【特許請求の範囲】
【請求項１】
フレーム中に表示させる画像データをこのフレームを構成する複数のサブフレームの単位で分割して複数の分割データを生成するフレーム分割手段と、
前記サブフレーム毎に表示位置をずらしてデータ転送とは非同期で画像を切り替え表示する画像表示装置に対して、前記画像データを前記フレーム分割手段が生成する前記分割データ単位で転送するデータ転送手段と、
前記データ転送手段が前記分割データを転送する毎に転送した前記分割データを前画像データとして前記サブフレームに対応付けて記憶領域に書き換え自在に格納するデータ格納手段と、
単一の前記フレームを構成する前記各サブフレームに対して全ての前記サブフレームを一巡するように順序付ける巡回順序にしたがって、前記データ転送手段が直前に転送した前記分割データに対応する前記サブフレームに続く巡回順序が付された前記サブフレームに対応する前記分割データを選択する分割データ選択手段と、
前記記憶領域を参照して、前記分割データ選択手段が選択する前記分割データが、この分割データと同じ前記サブフレームに対応付けられる前記前画像データと同一であるか非同一であるかを判断する同一性判断手段と、
前記同一性判断手段が非同一であると判断した前記分割データを前記データ転送手段に転送させる転送制御手段と、
を具備する画像データ処理装置。
【請求項２】
巡回順序に基づいて、前記分割データ選択手段が選択する前記分割データに対応する前記サブフレームを最優先とする優先順位を設定する優先順位設定手段と、
前記同一性判断手段が非同一であると判断した前記分割データを転送する転送時間に対して前記フレーム分割手段が次の前記フレームの前記分割データの生成を開始するまでの余裕時間の方が長いか否かを判断する余裕時間判断手段と、
を具備し、
前記分割データ選択手段は、前記同一性判断手段が同一であると判断した場合に、前記優先順位設定手段が設定する優先順位にしたがって、同一であると判断された前記分割データに対応する前記サブフレームの次に優先順位の高い前記サブフレームに対応する前記分割データを選択し、
前記転送制御手段は、前記余裕時間判断手段が転送時間に対して余裕時間の方が長いと判断した場合に前記同一性判断手段が非同一であると判断した前記分割データを前記データ転送手段に対して転送させる請求項１記載の画像データ処理装置。
【請求項３】
巡回順序に基づいて、前記分割データ選択手段が選択する前記分割データに対応する前記サブフレームを最優先とする優先順位を設定する優先順位設定手段と、
前記同一性判断手段が非同一であると判断する毎に、前記フレーム分割手段が次の前記フレームの前記分割データの生成を開始するまでの余裕時間の有無を判断する余裕時間判断手段と、
を具備し、
前記分割データ選択手段は、前記同一性判断手段が同一であると判断した場合に、前記優先順位設定手段が設定する優先順位にしたがって、同一であると判断された前記分割データに対応する前記サブフレームの次に優先順位の高い前記サブフレームに対応する前記分割データを選択し、
前記転送制御手段は、前記余裕時間判断手段が余裕時間があると判断した場合に前記同一性判断手段が非同一であると判断した前記分割データを前記データ転送手段に対して転送させる請求項１記載の画像データ処理装置。
【請求項４】
前記同一性判断手段が非同一であると判断した場合に、前記同一性判断手段が非同一であると判断した前記分割データを差分圧縮する圧縮手段を具備し、
前記転送制御手段は、前記圧縮手段が差分圧縮した圧縮データを解凍する機能を有する前記画像表示装置に対して、当該圧縮データを前記データ転送手段に転送させる請求項１ないし３のいずれか一に記載の画像データ処理装置。
【請求項５】
フレーム中に表示させる画像データをこのフレームを構成する複数のサブフレームに応じて分割した複数の分割データとし、各分割データを複数に分割した細分割データを生成するフレーム分割手段と、
前記サブフレーム毎に表示位置をずらしてデータ転送とは非同期で画像を切り替え表示する画像表示装置に対して、前記画像データを前記フレーム分割手段が生成する前記細分割データ単位で転送するデータ転送手段と、
前記データ転送手段が前記細分割データを転送する毎に転送した前記細分割データを前画像データとして前記サブフレームに対応付けて記憶領域に書き換え自在に格納するデータ格納手段と、
単一の前記フレームを構成する前記各サブフレームに対して全ての前記サブフレームを一巡するように順序付ける巡回順序にしたがって、前記データ転送手段が直前に転送した前記細分割データに対応する前記サブフレームに続く巡回順序が付された前記サブフレームに対応する前記細分割データを選択する細分割データ選択手段と、
前記記憶領域を参照して、前記細分割データ選択手段が選択する前記細分割データがこの細分割データと同じ前記サブフレームに対応付けられる前記前画像データと同一であるか非同一であるかを判断する同一性判断手段と、
前記同一性判断手段が非同一であると判断した前記細分割データを前記サブフレーム毎にまとめて前記データ転送手段に転送させる転送制御手段と、
を具備する画像データ処理装置。
【請求項６】
巡回順序に基づいて、前記分割データ選択手段が選択する前記細分割データに対応する前記サブフレームを最優先とする優先順位を設定する優先順位設定手段と、
前記同一性判断手段が非同一であると判断した前記細分割データを前記サブフレーム毎にまとめて転送する転送時間に対して前記フレーム分割手段が次のフレームの前記細分割データの生成を開始するまでの余裕時間の方が長いか否かを判断する余裕時間判断手段と、
を具備し、
前記分割データ選択手段は、巡回順序にしたがって選択された前記細分割データ中に前記同一性判断手段が非同一であると判断した前記細分割データがある場合に、前記優先順位設定手段が設定する優先順位にしたがって、同一であると判断された前記細分割データに対応する前記サブフレームの次に優先順位の高い前記サブフレームに対応する前記細分割データを選択し、
前記転送制御手段は、前記余裕時間判断手段が転送時間に対して余裕時間の方が長いと判断した場合に、前記同一性判断手段が非同一であると判断した前記細分割データを前記サブフレーム毎にまとめて前記データ転送手段に転送させる請求項５記載の画像データ処理装置。
【請求項７】
巡回順序に基づいて、前記分割データ選択手段が選択する前記細分割データに対応する前記サブフレームを最優先とする優先順位を設定する優先順位設定手段と、
前記同一性判断手段が非同一であると判断する毎に次の前記フレームの前記細分割データの生成を開始するまでの余裕時間の有無を判断する余裕時間判断手段と、
を具備し、
前記分割データ選択手段は、巡回順序にしたがって選択された前記細分割データ中に前記同一性判断手段が非同一であると判断した前記細分割データがある場合に、前記優先順位設定手段が設定する優先順位にしたがって、同一であると判断された前記細分割データに対応する前記サブフレームの次に優先順位の高い前記サブフレームに対応する前記細分割データを選択し、
前記転送制御手段は、前記余裕時間判断手段が余裕時間があると判断した場合に、前記同一性判断手段が非同一であると判断した前記細分割データを前記サブフレーム毎にまとめて前記データ転送手段に転送させる請求項５記載の画像データ処理装置。
【請求項８】
フレーム中に表示させる画像データをこのフレームを構成する複数のサブフレーム毎に表示位置をずらして画像を切り替え表示する画像表示装置に通信可能に接続される外部接続装置が備える主基板に着脱自在な基板であって、
前記フレーム中に表示させる画像データを前記サブフレームの単位で分割して複数の分割データを生成するフレーム分割処理と、
前記画像表示装置に対して、前記画像表示装置における画像の切り替えとは非同期で、前記画像データを前記分割データ単位で前記主基板に対して転送するデータ転送処理と、
前記分割データを転送する毎に転送した前記分割データを前画像データとして前記サブフレームに対応付けて記憶領域に書き換え自在に格納するデータ格納処理と、
単一の前記フレームを構成する前記各サブフレームに対して全ての前記サブフレームを一巡するように順序付ける巡回順序にしたがって、直前に転送した前記分割データに対応する前記サブフレームに続く巡回順序が付された前記サブフレームに対応する前記分割データを選択する分割データ選択処理と、
選択された前記分割データがこの分割データと同じ前記サブフレームに対応付けられる前記前画像データと同一であるか非同一であるかを判断する同一性判断処理と、
非同一であると判断された前記分割データを前記主基板に対して転送させるように制御する転送制御処理と、
を実行する回路が設けられていることを特徴とする基板。
【請求項９】
フレーム中に表示させる画像データをこのフレームを構成する複数の前記サブフレームの単位で分割して複数の分割データを生成するフレーム分割処理と、
前記サブフレーム毎に表示位置をずらしてデータ転送とは非同期で画像を切り替え表示する画像表示装置に対して、生成された前記分割データ単位で前記画像データを転送するデータ転送処理と、
前記分割データを転送する毎に転送した前記分割データを前画像データとして前記サブフレームに対応付けて記憶領域に書き換え自在に格納するデータ格納処理と、
単一の前記フレームを構成する前記各サブフレームに対して全ての前記サブフレームを一巡するように順序付ける巡回順序にしたがって、直前に転送した前記分割データに対応する前記サブフレームに続く巡回順序が付された前記サブフレームに対応する前記分割データを選択する分割データ選択処理と、
選択された前記分割データがこの分割データと同じ前記サブフレームに対応付けられる前記前画像データと同一であるか非同一であるかを判断する同一性判断処理と、
非同一であると判断された前記分割データを主基板に対して転送させるように制御する転送制御処理と、
を実行するグラフィックスアクセラレータを搭載するグラフィックスボード。
【請求項１０】
フレーム中に表示させる画像データをこのフレームを構成する複数のサブフレーム毎に表示位置をずらして画像を切り替え表示する画像表示装置に通信可能に接続される外部接続装置であって、
前記画像データを前記サブフレームの単位で分割して複数の分割データを生成するフレーム分割手段と、
前記画像表示装置に対して、前記画像表示装置における画像の切り替えとは非同期で前記画像データを前記フレーム分割手段が生成する前記分割データ単位で転送するデータ転送手段と、
前記データ転送手段が前記分割データを転送する毎に転送した前記分割データを前画像データとして前記サブフレームに対応付けて記憶領域に書き換え自在に格納するデータ格納手段と、
単一の前記フレームを構成する前記各サブフレームに対して全ての前記サブフレームを一巡するように順序付ける巡回順序にしたがって、前記データ転送手段が直前に転送した前記分割データに対応する前記サブフレームに続く巡回順序が付された前記サブフレームに対応する前記分割データを選択する分割データ選択手段と、
前記分割データ選択手段が選択する前記分割データが、この分割データと同じ前記サブフレームに対応付けられる前記前画像データと同一であるか非同一であるかを判断する同一性判断手段と、
前記同一性判断手段が非同一であると判断した前記分割データを前記データ転送手段に転送させる転送制御手段と、
を具備することを特徴とする外部接続装置。
【請求項１１】
フレーム中に表示させる画像データをこのフレームを構成する複数のサブフレーム毎に表示位置をずらして画像を切り替え表示する画像表示装置に通信可能に接続される外部接続装置が備える主基板であって、
前記フレーム中に表示させる画像データをこのフレームを構成する複数の前記サブフレームの単位で分割して複数の分割データを生成するフレーム分割処理と、
前記画像表示装置に対して、前記画像表示装置における画像の切り替えとは非同期で、前記画像データを前記分割データ単位で転送するデータ転送処理と、
前記分割データを転送する毎に転送した前記分割データを前画像データとして前記サブフレームに対応付けて記憶領域に書き換え自在に格納するデータ格納処理と、
単一の前記フレームを構成する前記各サブフレームに対して全ての前記サブフレームを一巡するように順序付ける巡回順序にしたがって、直前に転送した前記分割データに対応する前記サブフレームに続く巡回順序が付された前記サブフレームに対応する前記分割データを選択する分割データ選択処理と、
選択された前記分割データがこの分割データと同じ前記サブフレームに対応付けられる前記前画像データと同一であるか非同一であるかを判断する同一性判断処理と、
非同一であると判断された前記分割データを前記主基板に対して転送させる転送制御処理と、
を実行する回路が設けられていることを特徴とする主基板。
【請求項１２】
前記回路は、単一の半導体チップ上に形成されていることを特徴とする請求項１１記載の主基板。
【請求項１３】
請求項１ないし７のいずれか一に記載の画像データ処理装置と、
前記画像データ処理装置のデータ転送手段が転送する画像データをフレームを複数に分割したサブフレーム毎に書き換え自在に記憶する表示データ記憶手段と、
前記表示データ記憶手段が記憶する前記画像データに基づいて前記サブフレーム単位で表示位置をずらした画像を前記画像データ処理装置におけるデータ転送とは非同期で前記フレーム上に切り替え表示する表示手段と、
を具備する画像表示装置。
【請求項１４】
請求項１ないし７のいずれか一に記載の画像データ処理装置と、
前記画像データ処理装置のデータ転送手段が転送する画像データを受信する受信手段と、この受信手段が受信する前記画像データをフレームを複数に分割したサブフレーム毎に書き換え自在に記憶する表示データ記憶手段と、前記表示データ記憶手段が記憶する前記画像データに基づいて前記サブフレーム単位で表示位置をずらした画像を前記画像データ処理装置におけるデータ転送とは非同期で前記フレーム上に切り替え表示する表示手段とを備える画像表示装置と、
を具備する画像表示システム。
【請求項１５】
フレーム中に表示させる画像データをこのフレームを構成する複数のサブフレーム毎に切り替え表示する画像表示装置に対して前記画像データを転送する画像データ処理装置が備えるコンピュータが実行可能なコンピュータプログラムであって、
単一の前記フレームの前記画像データを前記サブフレームの単位で分割して複数の分割データを生成するフレーム分割機能と、
前記画像表示装置に対して、前記画像表示装置における画像の切り替えとは非同期で前記画像データを前記分割データ単位で転送するデータ転送機能と、
前記分割データを転送する毎に転送した前記分割データを前画像データとして前記サブフレームに対応付けて記憶領域に書き換え自在に記憶させるデータ記憶機能と、
単一の前記フレームを構成する前記各サブフレームに対して全ての前記サブフレームを一巡するように順序付ける巡回順序にしたがって、直前に転送した前記分割データに対応する前記サブフレームに続く巡回順序が付された前記サブフレームに対応する前記分割データを選択する分割データ選択機能と、
選択された前記分割データが、この分割データと同じ前記サブフレームに対応付けられる前記前画像データと同一であるか非同一であるかを判断する同一性判断機能と、
非同一であると判断した前記分割データを前記画像表示装置に対して転送させる転送制御機能と、
を前記コンピュータに実行させるコンピュータプログラム。
【発明の詳細な説明】
【０００１】
【発明の属する技術分野】
本発明は、画像データ処理装置、基板、グラフィックスボード、外部接続装置、主基板、画像表示装置、画像表示システムおよびコンピュータプログラムに関する。
【０００２】
【従来の技術】
従来、液晶パネル等の画像表示素子によって画像を表示するようにした画像表示装置が広く用いられている。このような画像表示装置における表示画像の精細さは、画像表示素子を構成する画素数によって決定される。
【０００３】
しかしながら、表示画像の高精細化を図るために、画像表示素子の画素数を増加させた場合、画像表示素子のコストが高くなったり、画素数の多い画像表示素子に画像を表示させるための画像信号の処理回路の高速化によってコストが高くなったり等、画像表示装置の高コスト化の必要性が生じる。
【０００４】
このため、従来より、限られた画素数で表示画像の高精細化を図る技術が考案されている。例えば、特開平４−６３３３２号公報、特開平７−３６０５４号公報あるいは特開２００１−６６６２５公報等に開示されているように、単一のフレームを複数のサブフレームで構成し、サブフレーム単位で表示位置をずらした画像を画像表示素子に切り替え表示させるようにした画像表示装置がある。このような画像表示装置では、人間の目の残像現象により、画像表示素子上で表示位置をずらして表示される画像が重なって見えるため、画像表示素子の画素数を増加させることなく、表示画像の高精細化が可能になる。
【０００５】
【発明が解決しようとする課題】
ところで、上述したように、サブフレーム単位で表示位置をずらした画像を画像表示素子上に切り替え表示させるためには、画像表示装置に対して、画像表示素子上で重ねる画像データをサブフレーム単位で順次転送しなくてはならず、転送するデータ量が増加する。
【０００６】
しかしながら、画像データの転送能力によっては、画像データの転送が間に合わず、このフレームに対応する画像データを次のフレームの画像データに切り替えるまでに転送しきることができない場合がある。これにより、画像表示素子上での画像の精細さが低下してしまう。
【０００７】
これに対し、フレームの切り替え周期を画像データの転送能力に合わせて長くした場合、画像表示装置での画像更新速度が低下してしまう。
【０００８】
本発明の目的は、転送手段の転送能力によって、フレームの切り替え周期内に該フレームの全ての画像データを転送することができない場合にも、画像表示装置における表示画像の精細さの低下を抑制することである。
【０００９】
本発明の目的は、転送手段の転送能力によって、フレームの切り替え周期内に該フレームの全ての画像データを転送することができない場合にも、画像表示装置での画像更新速度の低下を抑制することである。
【００１０】
【課題を解決するための手段】
請求項１記載の発明の画像データ処理装置は、フレーム中に表示させる画像データをこのフレームを構成する複数のサブフレームの単位で分割して複数の分割データを生成するフレーム分割手段と、前記サブフレーム毎に表示位置をずらしてデータ転送とは非同期で画像を切り替え表示する画像表示装置に対して、前記画像データを前記フレーム分割手段が生成する前記分割データ単位で転送するデータ転送手段と、前記データ転送手段が前記分割データを転送する毎に転送した前記分割データを前画像データとして前記サブフレームに対応付けて記憶領域に書き換え自在に格納するデータ格納手段と、単一の前記フレームを構成する前記各サブフレームに対して全ての前記サブフレームを一巡するように順序付ける巡回順序にしたがって、前記データ転送手段が直前に転送した前記分割データに対応する前記サブフレームに続く巡回順序が付された前記サブフレームに対応する前記分割データを選択する分割データ選択手段と、前記記憶領域を参照して、前記分割データ選択手段が選択する前記分割データがこの分割データと同じ前記サブフレームに対応付けられる前記前画像データと同一であるか非同一であるかを判断する同一性判断手段と、前記同一性判断手段が非同一であると判断した前記分割データを前記データ転送手段に転送させる転送制御手段と、を具備する。
【００１１】
したがって、サブフレームの単位で分割された複数の分割データのうち、巡回順序にしたがって選択されるサブフレームに対応し、かつ、対応する前画像データと非同一である分割データのみが画像表示装置における画像の切り替えとは非同期で転送される。これによって、前画像データと同一の分割データを間引いて転送するデータ量を低減しながらも、全てのサブフレームに対応する分割データを順番に転送することが可能になる。
【００１２】
請求項２記載の発明は、請求項１記載の画像データ処理装置において、巡回順序に基づいて、前記分割データ選択手段が選択する前記分割データに対応する前記サブフレームを最優先とする優先順位を設定する優先順位設定手段と、前記同一性判断手段が非同一であると判断した前記分割データを転送する転送時間に対して前記フレーム分割手段が次の前記フレームの前記分割データの生成を開始するまでの余裕時間の方が長いか否かを判断する余裕時間判断手段と、を具備し、前記分割データ選択手段は、前記同一性判断手段が同一であると判断した場合に、前記優先順位設定手段が設定する優先順位にしたがって、同一であると判断された前記分割データに対応する前記サブフレームの次に優先順位の高い前記サブフレームに対応する前記分割データを選択し、前記転送制御手段は、前記余裕時間判断手段が転送時間に対して余裕時間の方が長いと判断した場合に前記同一性判断手段が非同一であると判断した前記分割データを前記データ転送手段に対して転送させる。
【００１３】
したがって、巡回順序にしたがって選択された分割データが対応する前画像データと同一である場合には、対応する前画像データと非同一である分割データが優先順位の高い順に選択され、選択された分割データを次のフレームの分割データの生成が開始されるまでに転送しきることが可能である場合に、当該分割データが転送される。これによって、転送するデータ量を低減しながらも、より多くの分割データを次のフレームの分割データの生成に支障を来たすことなく転送することが可能になる。
【００１４】
請求項３記載の発明は、請求項１記載の画像データ処理装置において、巡回順序に基づいて、前記分割データ選択手段が選択する前記分割データに対応する前記サブフレームを最優先とする優先順位を設定する優先順位設定手段と、前記同一性判断手段が非同一であると判断する毎に、前記フレーム分割手段が次の前記フレームの前記分割データの生成を開始するまでの余裕時間の有無を判断する余裕時間判断手段と、を具備し、前記分割データ選択手段は、前記同一性判断手段が同一であると判断した場合に、前記優先順位設定手段が設定する優先順位にしたがって、同一であると判断された前記分割データに対応する前記サブフレームの次に優先順位の高い前記サブフレームに対応する前記分割データを選択し、前記転送制御手段は、前記余裕時間判断手段が余裕時間があると判断した場合に前記同一性判断手段が非同一であると判断した前記分割データを前記データ転送手段に対して転送させる。
【００１５】
したがって、巡回順序にしたがって選択された分割データが対応する前画像データと同一である場合には、対応する前画像データと非同一である分割データが優先順位の高い順に選択され、この分割データが次のフレームの分割データの生成を開始するまでの余裕時間を利用して転送される。これによって、転送するデータ量を低減しながらも、余裕時間を有効に利用してより多くの分割データを順番に転送することが可能になる。
【００１６】
請求項４記載の発明は、請求項１ないし３のいずれか一に記載の画像データ処理装置において、前記同一性判断手段が非同一であると判断した場合に、前記同一性判断手段が非同一であると判断した前記分割データを差分圧縮する圧縮手段を具備し、前記転送制御手段は、前記圧縮手段が差分圧縮した圧縮データをこの圧縮データを解凍する機能を有する前記画像表示装置に対して前記データ転送手段に転送させる。
【００１７】
したがって、前画像データと非同一である分割データを差分圧縮して転送することにより、転送するデータ量を一層低減することが可能になる。ここで、請求項２または３に記載の発明のように、巡回順序にしたがって選択された分割データが対応する前画像データと同一である場合に、対応する前画像データと非同一である分割データを優先順位の高い順に転送することにより、より多くの分割データを転送することが可能になる。
【００１８】
請求項５記載の発明の画像データ処理装置は、フレーム中に表示させる画像データをこのフレームを構成する複数のサブフレームに応じて分割した複数の分割データとし、各分割データを複数に分割した細分割データを生成するフレーム分割手段と、前記サブフレーム毎に表示位置をずらしてデータ転送とは非同期で画像を切り替え表示する画像表示装置に対して、前記画像データを前記フレーム分割手段が生成する前記細分割データ単位で転送するデータ転送手段と、前記データ転送手段が前記細分割データを転送する毎に転送した前記細分割データを前画像データとして前記サブフレームに対応付けて記憶領域に書き換え自在に格納するデータ格納手段と、単一の前記フレームを構成する前記各サブフレームに対して全ての前記サブフレームを一巡するように順序付ける巡回順序にしたがって、前記データ転送手段が直前に転送した前記細分割データに対応する前記サブフレームに続く巡回順序が付された前記サブフレームに対応する前記細分割データを選択する細分割データ選択手段と、前記記憶領域を参照して、前記細分割データ選択手段が選択する前記細分割データがこの細分割データと同じ前記サブフレームに対応付けられる前記前画像データと同一であるか非同一であるかを判断する同一性判断手段と、前記同一性判断手段が非同一であると判断した前記細分割データを前記サブフレーム毎にまとめて前記データ転送手段に転送させる転送制御手段と、を具備する。
【００１９】
したがって、サブフレームの単位で分割された複数の分割データをさらに分割した細分割データのうち、巡回順序にしたがって選択されるサブフレームに対応し、かつ、対応する前画像データと非同一である細分割データのみがサブフレーム毎にまとめて画像表示装置における画像の切り替えとは非同期で転送される。これによって、前画像データと同じ細分割データを間引いて転送するデータ量を低減しながらも、全てのサブフレームに対応する細分割データを順番に転送することが可能になる。
【００２０】
請求項６記載の発明は、請求項５記載の画像データ処理装置において、巡回順序に基づいて、前記分割データ選択手段が選択する前記細分割データに対応する前記サブフレームを最優先とする優先順位を設定する優先順位設定手段と、前記同一性判断手段が非同一であると判断した前記細分割データを前記サブフレーム毎にまとめて転送する転送時間に対して前記フレーム分割手段が次のフレームの前記細分割データの生成を開始するまでの余裕時間の方が長いか否かを判断する余裕時間判断手段と、を具備し、前記分割データ選択手段は、巡回順序にしたがって選択された前記細分割データ中に前記同一性判断手段が非同一であると判断した前記細分割データがある場合に、前記優先順位設定手段が設定する優先順位にしたがって、同一であると判断された前記細分割データに対応する前記サブフレームの次に優先順位の高い前記サブフレームに対応する前記細分割データを選択し、前記転送制御手段は、前記余裕時間判断手段が転送時間に対して余裕時間の方が長いと判断した場合に、前記同一性判断手段が非同一であると判断した前記細分割データを前記サブフレーム毎にまとめて前記データ転送手段に転送させる。
【００２１】
したがって、巡回順序にしたがって選択された細分割データ中に非同一であると判断された細分割データがある場合には、対応する前画像データと非同一である細分割データが優先順位の高い順に選択され、選択された細分割データをサブフレーム毎にまとめて次のフレームの細分割データの生成が開始されるまでに転送しきることが可能である場合に、当該細分割データがサブフレーム毎にまとめて転送される。これによって、転送するデータ量を低減しながらも、より多くの細分割データを次のフレームの分割データの生成に支障を来たすことなく転送することが可能になる。
【００２２】
請求項７記載の発明は、請求項５記載の画像データ処理装置において、巡回順序に基づいて、前記分割データ選択手段が選択する前記細分割データに対応する前記サブフレームを最優先とする優先順位を設定する優先順位設定手段と、前記同一性判断手段が非同一であると判断する毎に次の前記フレームの前記細分割データの生成を開始するまでの余裕時間の有無を判断する余裕時間判断手段と、を具備し、前記分割データ選択手段は、巡回順序にしたがって選択された前記細分割データ中に前記同一性判断手段が非同一であると判断した前記細分割データがある場合に、前記優先順位設定手段が設定する優先順位にしたがって、同一であると判断された前記細分割データに対応する前記サブフレームの次に優先順位の高い前記サブフレームに対応する前記細分割データを選択し、前記転送制御手段は、前記余裕時間判断手段が余裕時間があると判断した場合に、前記同一性判断手段が非同一であると判断した前記細分割データを前記サブフレーム毎にまとめて前記データ転送手段に転送させる。
【００２３】
したがって、巡回順序にしたがって選択された細分割データ中に非同一であると判断された細分割データがある場合には、対応する前画像データと非同一である細分割データが優先順位の高い順に選択され、選択された分割データは、次のフレームの分割データの生成を開始するまでの余裕時間を利用してサブフレーム毎にまとめて転送される。これによって、転送するデータ量を低減しながらも、余裕時間を有効に利用してより多くの細分割データを転送することが可能になる。
【００２４】
請求項８記載の発明の基板は、フレーム中に表示させる画像データをこのフレームを構成する複数のサブフレーム毎に表示位置をずらして画像を切り替え表示する画像表示装置に通信可能に接続される外部接続装置が備える主基板に着脱自在な基板であって、前記フレーム中に表示させる画像データを前記サブフレームの単位で分割して複数の分割データを生成するフレーム分割処理と、前記画像表示装置に対して、前記画像表示装置における画像の切り替えとは非同期で、前記画像データを前記分割データ単位で前記主基板に対して転送するデータ転送処理と、前記分割データを転送する毎に転送した前記分割データを前画像データとして前記サブフレームに対応付けて記憶領域に書き換え自在に格納するデータ格納処理と、単一の前記フレームを構成する前記各サブフレームに対して全ての前記サブフレームを一巡するように順序付ける巡回順序にしたがって、直前に転送した前記分割データに対応する前記サブフレームに続く巡回順序が付された前記サブフレームに対応する前記分割データを選択する分割データ選択処理と、選択された前記分割データがこの分割データと同じ前記サブフレームに対応付けられる前記前画像データと同一であるか非同一であるかを判断する同一性判断処理と、非同一であると判断された前記分割データを前記主基板に対して転送させるように制御する転送制御処理と、を実行する回路が設けられている。
【００２５】
したがって、必要に応じて、画像表示装置に通信可能に接続される外部接続装置が備える主基板に対して、基板を後付けすることが可能になる。
【００２６】
請求項９記載の発明のグラフィックスボードは、フレーム中に表示させる画像データをこのフレームを構成する複数の前記サブフレームの単位で分割して複数の分割データを生成するフレーム分割処理と、前記サブフレーム毎に表示位置をずらしてデータ転送とは非同期で画像を切り替え表示する画像表示装置に対して、生成された前記分割データ単位で前記画像データを転送するデータ転送処理と、前記分割データを転送する毎に転送した前記分割データを前画像データとして前記サブフレームに対応付けて記憶領域に書き換え自在に格納するデータ格納処理と、単一の前記フレームを構成する前記各サブフレームに対して全ての前記サブフレームを一巡するように順序付ける巡回順序にしたがって、直前に転送した前記分割データに対応する前記サブフレームに続く巡回順序が付された前記サブフレームに対応する前記分割データを選択する分割データ選択処理と、選択された前記分割データがこの分割データと同じ前記サブフレームに対応付けられる前記前画像データと同一であるか非同一であるかを判断する同一性判断処理と、非同一であると判断された前記分割データを主基板に対して転送させるように制御する転送制御処理と、を実行するグラフィックスアクセラレータを搭載する。
【００２７】
したがって、必要に応じて、画像表示装置に通信可能に接続される外部接続装置が備える主基板に対して、グラフィックスボードを後付けすることが可能になる。
【００２８】
請求項１０記載の発明の外部接続装置は、フレーム中に表示させる画像データをこのフレームを構成する複数のサブフレーム毎に表示位置をずらして画像を切り替え表示する画像表示装置に通信可能に接続される外部接続装置であって、前記画像データを前記サブフレームの単位で分割して複数の分割データを生成するフレーム分割手段と、前記画像表示装置に対して、前記画像表示装置における画像の切り替えとは非同期で前記画像データを前記フレーム分割手段が生成する前記分割データ単位で転送するデータ転送手段と、前記データ転送手段が前記分割データを転送する毎に転送した前記分割データを前画像データとして前記サブフレームに対応付けて記憶領域に書き換え自在に格納するデータ格納手段と、単一の前記フレームを構成する前記各サブフレームに対して全ての前記サブフレームを一巡するように順序付ける巡回順序にしたがって、前記データ転送手段が直前に転送した前記分割データに対応する前記サブフレームに続く巡回順序が付された前記サブフレームに対応する前記分割データを選択する分割データ選択手段と、前記分割データ選択手段が選択する前記分割データが、この分割データと同じ前記サブフレームに対応付けられる前記前画像データと同一であるか非同一であるかを判断する同一性判断手段と、前記同一性判断手段が非同一であると判断した前記分割データを前記データ転送手段に転送させる転送制御手段と、を具備する。
【００２９】
したがって、画像表示装置とは別の独立した外部接続装置とすることにより、画像表示装置の仕様によってデータ転送に制限が生じることを低減することが可能になる。
【００３０】
請求項１１記載の発明の主基板は、フレーム中に表示させる画像データをこのフレームを構成する複数のサブフレーム毎に表示位置をずらして画像を切り替え表示する画像表示装置に通信可能に接続される外部接続装置が備える主基板であって、前記フレーム中に表示させる画像データをこのフレームを構成する複数の前記サブフレームの単位で分割して複数の分割データを生成するフレーム分割処理と、前記画像表示装置に対して、前記画像表示装置における画像の切り替えとは非同期で、前記画像データを前記分割データ単位で転送するデータ転送処理と、前記分割データを転送する毎に転送した前記分割データを前画像データとして前記サブフレームに対応付けて記憶領域に書き換え自在に格納するデータ格納処理と、単一の前記フレームを構成する前記各サブフレームに対して全ての前記サブフレームを一巡するように順序付ける巡回順序にしたがって、直前に転送した前記分割データに対応する前記サブフレームに続く巡回順序が付された前記サブフレームに対応する前記分割データを選択する分割データ選択処理と、選択された前記分割データがこの分割データと同じ前記サブフレームに対応付けられる前記前画像データと同一であるか非同一であるかを判断する同一性判断処理と、非同一であると判断された前記分割データを前記主基板に対して転送させる転送制御処理と、を実行する回路が設けられている。
【００３１】
したがって、上述した画像データ転送を行なう回路を画像表示装置に通信可能に接続される外部接続装置が備える主基板に設けることにより、処理速度の向上を図ることが可能になる。また、外部接続装置が有する基板数を増加させることなく上述した画像データ転送を行なうことが可能になる。
【００３２】
請求項１２記載の発明は、請求項１１記載の主基板において、前記回路は、単一の半導体チップ上に形成されている。
【００３３】
したがって、上述した画像データ転送を行なう回路を単一の半導体チップ上に形成することにより、該回路の小型化を図り、処理速度の向上を図ることが可能になる。
【００３４】
請求項１３記載の発明の画像表示装置は、請求項１ないし７のいずれか一に記載の画像データ処理装置と、前記画像データ処理装置のデータ転送手段が転送する画像データをフレームを複数に分割したサブフレーム毎に書き換え自在に記憶する表示データ記憶手段と、前記表示データ記憶手段が記憶する前記画像データに基づいて前記サブフレーム単位で表示位置をずらした画像を前記画像データ処理装置におけるデータ転送とは非同期で前記フレーム上に切り替え表示する表示手段と、を具備する。
【００３５】
したがって、請求項１ないし７のいずれか一に記載の発明と同等の作用を得ることが可能になる。
【００３６】
請求項１４記載の発明の画像表示システムは、請求項１ないし７のいずれか一に記載の画像データ処理装置と、前記画像データ処理装置のデータ転送手段が転送する画像データを受信する受信手段と、この受信手段が受信する前記画像データをフレームを複数に分割したサブフレーム毎に書き換え自在に記憶する表示データ記憶手段と、前記表示データ記憶手段が記憶する前記画像データに基づいて前記サブフレーム単位で表示位置をずらした画像を前記画像データ処理装置におけるデータ転送とは非同期で前記フレーム上に切り替え表示する表示手段とを備える画像表示装置と、を具備する。
【００３７】
したがって、画像データ処理装置を画像表示装置とは別に独立させることにより、画像表示装置の仕様によってデータ転送に制限が生じることを低減するとともに、請求項１ないし７のいずれか一に記載の発明と同等の作用を得ることが可能になる。
【００３８】
請求項１５記載の発明のコンピュータプログラムは、フレーム中に表示させる画像データをこのフレームを構成する複数のサブフレーム毎に切り替え表示する画像表示装置に対して前記画像データを転送する画像データ処理装置が備えるコンピュータが実行可能なコンピュータプログラムであって、単一の前記フレームの前記画像データを前記サブフレームの単位で分割して複数の分割データを生成するフレーム分割機能と、前記画像表示装置に対して、前記画像表示装置における画像の切り替えとは非同期で前記画像データを前記分割データ単位で転送するデータ転送機能と、前記分割データを転送する毎に転送した前記分割データを前画像データとして前記サブフレームに対応付けて記憶領域に書き換え自在に記憶させるデータ記憶機能と、単一の前記フレームを構成する前記各サブフレームに対して全ての前記サブフレームを一巡するように順序付ける巡回順序にしたがって、直前に転送した前記分割データに対応する前記サブフレームに続く巡回順序が付された前記サブフレームに対応する前記分割データを選択する分割データ選択機能と、選択された前記分割データが、この分割データと同じ前記サブフレームに対応付けられる前記前画像データと同一であるか非同一であるかを判断する同一性判断機能と、非同一であると判断した前記分割データを前記画像表示装置に対して転送させる転送制御機能と、を前記コンピュータに実行させる。
【００３９】
したがって、サブフレームの単位で分割された複数の分割データのうち、巡回順序にしたがって選択されるサブフレームに対応し、かつ、対応する前画像データと非同一である分割データのみが画像表示装置における画像の切り替えとは非同期で転送される。これによって、前画像データと同じ分割データを間引いて転送するデータ量を低減しながらも、全てのサブフレームに対応する分割データを順番に転送することが可能になる。
【００４０】
【発明の実施の形態】
本発明の第一の実施の形態について図１ないし図５を参照して説明する。本実施の形態は、画像表示システムへの適用例を示す。
【００４１】
図１は、本実施の形態の画像表示システムの基本構成を示すブロック図である。本実施の形態の画像表示システム１は、外部接続装置としてのホストコンピュータ２と、ホストコンピュータ２から転送される画像データに基づく画像を表示する画像表示装置としてのプロジェクタ３とを有している。ホストコンピュータ２およびプロジェクタ３は、それぞれＩ／Ｆユニット４，５を有しており、このＩ／Ｆユニット４，５を介して通信自在に接続されている。Ｉ／Ｆユニット５によって受信手段が実現されている。
【００４２】
まず、プロジェクタ３について説明する。プロジェクタ３は、液晶パネル等の画像表示素子６ａ（図２参照）に画像を表示する表示手段としての表示部６と、画像表示素子６ａに表示させる画像データ処理を行なう映像信号処理回路７とを備えている。
【００４３】
表示部６は、映像信号処理回路７から出力される画像データに基づいて、フレームを構成する複数のサブフレームａ，ｂ，ｃ，ｄ（図２参照）毎に、画像表示素子６ａ上での画像の表示位置をずらして画像を切り替え表示する。表示部６は、画像表示素子６ａ上での表示位置をずらす図示しない画像ずらし素子を備えている。公知の技術であるため画像ずらし素子についての説明を省略するが、本実施の形態の画像ずらし素子は、図２に示すように、サブフレームａ，ｂ，ｃ，ｄで構成される単一のフレームの画像データの表示に際して、サブフレームａに表示画像ａ’を表示させ、サブフレームｂに表示画像ｂ’を表示させ、サブフレームｃに表示画像ｃ’を表示させ、サブフレームｄに表示画像ｄ’を表示させる。表示画像ａ’，ｂ’，ｃ’，ｄ’は、後述する分割データＡ，Ｂ，Ｃ，Ｄに基づく画像である。なお、図２では、画像表示に関わる画素を黒ベタで示している。
【００４４】
映像信号処理回路７は、表示部６に表示させる分割データＡ，Ｂ，Ｃ，Ｄをサブフレームａ，ｂ，ｃ，ｄに対応付けて記憶する表示データ記憶手段としての記憶手段８を備えている。記憶手段８は、Ｉ／Ｆユニット４，５を介して、ホストコンピュータ２から転送される分割データＡ，Ｂ，Ｃ，Ｄを表示部６に表示可能に展開した状態で記憶する。表示部６は、ホストコンピュータ２からのデータ転送とは非同期で画像を切り替え表示する。
【００４５】
次に、ホストコンピュータ２について説明する。ホストコンピュータ２は、ホストコンピュータ２が備える各部を駆動制御するＣＰＵ（Ｃｅｎｔｒａｌ　Ｐｒｏｃｅｓｓｉｎｇ　Ｕｎｉｔ）９を備えている。ＣＰＵ９には、バスライン１０を介して、制御プログラムや各種データを格納するメモリ１１およびＨＤ（Ｈａｒｄ　Ｄｉｓｃ）１２に加えて、画像データ処理装置としてのグラフィックスボード（基板）１３が接続されている。
【００４６】
グラフィックスボード１３は、ＣＰＵ９を搭載する図示しないマザーボード（主基板）に対して着脱自在に取り付けられている。これにより、必要に応じて着脱することが可能になり、ホストコンピュータ２の製造時に、グラフィックスボード１３が実現する機能を予め持たせる場合と比較して、ホストコンピュータ２の製造コストを低減することができる。
【００４７】
グラフィックスボード１３には、画像データ変換部１４、画像データ格納部１５、画像データ選択部１６、前画像データ格納部１８、画像データ比較部１９、データ転送部２０、および、識別データ付加部２１が設けられている。
【００４８】
画像データ変換部１４は、単一のフレーム６ａ中に表示させる画像データＳが、フレーム切り替え周期で切り替わる毎に、サブフレームａ，ｂ，ｃ，ｄ単位に分割して分割データＡ，Ｂ，Ｃ，Ｄを生成するフレーム分割処理を行なう。本実施の形態の画像データ変換部１４は、図２に示すように、４つのサブフレームａ，ｂ，ｃ，ｄ応じて、画像データＳを４つに分割した分割データＡ，Ｂ，Ｃ，Ｄを生成する。
【００４９】
画像データ格納部１５は、画像データ変換部１４で生成された分割データＡ，Ｂ，Ｃ，Ｄを、それぞれ対応するサブフレームａ，ｂ，ｃ，ｄ毎に区別して書き換え自在に記憶する。
【００５０】
画像データ選択部１６は、後述する画像転送処理に際して、画像データ格納部１５に格納された分割データＡ，Ｂ，Ｃ，Ｄのうちの一つを、画像データ選択部１６に設けられた巡回順序エリア１７（図３参照）に設定される巡回順序にしたがって選択する分割データ選択処理を行なう。巡回順序は、単一のフレームを構成する各サブフレームａ，ｂ，ｃ，ｄに対して、全てのサブフレームａ，ｂ，ｃ，ｄを一巡するように順序付けられている。このうち、一つのサブフレームａ，ｂ，ｃ，またはｄは、後述する画像転送処理に際して選択すべきサブフレームａ，ｂ，ｃ，またはｄとして識別マークが付されている。図３中では、サブフレームａ，サブフレームｂ，サブフレームｃ，サブフレームｄの順序で選択されるような巡回順序が設定され、そのうちのサブフレームａに選択すべきサブフレームとしての識別マーク（「ａ」を囲む丸）が付されている。
【００５１】
なお、本実施の形態では、巡回順序エリア１７を画像データ選択部１６に設けるようにしたが、これに限るものではなく、例えば、グラフィックスボード１３上に図示しないメモリを設け、このメモリに巡回順序エリア１７を確保するようにしてもよい。
【００５２】
前画像データ格納部１８は、転送データ上書部２２によって、画像データ転送部２０が転送した分割データＡ，Ｂ，ＣまたはＤと同じ分割データＡ，Ｂ，ＣまたはＤが、前画像データＡ’，Ｂ’，Ｃ’またはＤ’とされて書き込まれる記憶領域を備えている。記憶領域に記憶された前画像データＡ’，Ｂ’，Ｃ’またはＤ’は、対応付けられるサブフレームａ，ｂ，ｃまたはｄに対応する次の分割データＡ，Ｂ，ＣまたはＤが新たに転送されるまで格納される。
【００５３】
画像データ比較部１９は、後述する画像転送処理に際して、画像データ選択部１６で選択された分割データＡ，Ｂ，ＣまたはＤと、前画像データ格納部１８に格納されている前画像データＡ’，Ｂ’，Ｃ’またはＤ’とを比較し、選択された分割データＡ，Ｂ，ＣまたはＤと、これに対応する前画像データＡ’，Ｂ’，Ｃ’またはＤ’とが同一であるか非同一であるかを判断する同一性判断処理を行なう。
【００５４】
データ転送部２０は、画像データ比較部１９での比較によって非同一であると判断された分割データＡ，Ｂ，ＣまたはＤを、Ｉ／Ｆユニット４を介して、プロジェクタ３に転送するデータ転送処理を行なう。このとき、プロジェクタ３における画像の切り替えとは非同期で分割データＡ，Ｂ，ＣまたはＤを転送する。ここに、データ転送部２０によってデータ転送手段としての機能が実現される。本実施の形態のデータ転送部２０は、フレームの切り替え周期内で、一つの分割データＡ，Ｂ，ＣまたはＤを転送することができる程度の転送能力を有している。
【００５５】
識別データ付加部２１は、データ転送部２０が転送する分割データＡ，Ｂ，ＣまたはＤに、この分割データＡ，Ｂ，ＣまたはＤに対応するサブフレームを識別する識別データを付加する。プロジェクタ３では、転送された分割データＡ，Ｂ，ＣまたはＤに付加された識別データに基づいて、転送された分割データＡ，Ｂ，ＣまたはＤに対応付けられるサブフレームａ，ｂ，ｃまたはｄを識別する。
【００５６】
転送画像データ上書部２２は、画像データ比較部１９での比較の結果、非同一であると判断された分割データＡ，Ｂ，Ｃ，Ｄを、新たな前画像データＡ’，Ｂ’，Ｃ’，Ｄ’として、前画像データ格納部１８に上書きして格納するデータ格納処理を行なう。
【００５７】
次に、画像転送処理について図４ないし図６を参照して説明する。図４は、画像転送処理を概略的に説明するフローチャートである。なお、図４に示す画像転送処理は、グラフィックスボード１３に設けられた各部が分担して所定の処理を実行することにより行なわれる。
【００５８】
画像転送処理では、まず、画像データ変換部１４においてフレーム分割処理を行なうことで、画像データＳを分割して４つの分割データＡ，Ｂ，Ｃ，Ｄを生成し（Ｓ１）、生成した４つの分割データＡ，Ｂ，Ｃ，Ｄを、画像データ格納部１５によってそれぞれ対応するサブフレームａ，ｂ，ｃ，ｄ毎に区別して格納する（Ｓ２）。ここに、ステップＳ１によって、フレーム分割手段としての機能が実行される。
【００５９】
次に、画像データ選択部１６によって分割データ選択処理を行なうことで、巡回順序にしたがって選択されるサブフレームａ，ｂ，ｃまたはｄに対応付けられる分割データＡ，Ｂ，ＣまたはＤを選択する（Ｓ３）。ここに、ステップＳ３によって、分割データ選択手段としての機能が実現される。本実施の形態では、巡回順序エリア１７における巡回順序が図３に示すように設定されているものとし、これによりステップＳ３ではサブフレームａに対応する分割データＡを選択したものとする。
【００６０】
また、画像データ比較部１９において同一性判断処理を実行することにより、前画像データ格納部１８を参照して、選択した分割データＡに対応するサブフレームａと同じサブフレームａに対応付けられる前画像データＡ’を取得し、この前画像データＡ’と選択した分割データＡとを比較して、取得した前画像データＡ’と選択した分割データＡとが同一であるか非同一であるかを判断する（Ｓ４）。ここに、ステップＳ４によって、同一性判断手段としての機能が実行される。
【００６１】
取得した前画像データＡ’と選択した分割データＡとが非同一であると判断した場合には（Ｓ４のＹ）、選択した分割データＡに当該サブフレームａを識別する識別データを識別データ付加部２１によって付加する（Ｓ５）。
【００６２】
そして、データ転送部２０によってデータ転送処理を行なうことにより、識別データが付された分割データＡを、Ｉ／Ｆユニット４を介して、プロジェクタ３に転送するとともに（Ｓ６）、転送画像データ上書部２２によってデータ格納処理を行なうことにより、当該分割データＡを新たな前画像データＡ’として、前画像データ格納部１８に上書きして格納する（Ｓ７）。ここに、ステップＳ６によって転送制御手段としての機能が実行され、ステップＳ７によってデータ格納手段としての機能が実行される。
【００６３】
加えて、転送したサブフレームａに続くサブフレームｂが選択すべきサブフレームとなるように巡回順序エリア１７における設定を変更し（Ｓ８）、ステップＳ１に進む。
【００６４】
一方、取得した前画像データＡ’と選択した分割データＡとが同一であると判断した場合には（Ｓ４のＹ）、当該分割データＡの転送を行なわず、ステップＳ８に進む。
【００６５】
プロジェクタ３は、Ｉ／Ｆユニット５を介して、ホストコンピュータ２から転送される分割データＡを受信すると、映像信号処理回路７によって、受信した分割データＡと同じサブフレームａに対応付けて記憶されている画像データを更新して記憶手段８に格納する。表示部６は、記憶手段８に格納されている画像データに基づいて、ホストコンピュータ２からの分割データＡ，Ｂ，Ｃ，Ｄの転送とは非同期のフレーム切り替え周期により、フレーム６ａにおける画像をサブフレームａ，ｂ，ｃ，ｄ単位で表示位置をずらして切り替え表示させる。
【００６６】
本実施の形態では、図５に示すように、フレーム切り替え周期内で一つの分割データＡ，Ｂ，ＣまたはＤを転送する転送能力を有しているため、例えば、巡回順序エリア１７における設定が図３（ａ）に示す状態であり、最初のフレーム１でサブフレームａに表示させる分割データ１Ａを転送した場合、次のフレーム２では、図５（ａ）に示すように、サブフレームｂに表示させる分割データ２Ｂが転送されることとなる。なお、図５中、分割データＡ，Ｂ，Ｃ，Ｄの前に付されている数字１，２，３，４は、フレームの並びを示しており、例えば、一番目のフレームに対応する分割データＡは１Ａとなり、二番目のフレームに対応する分割データＢは２Ｂとなる。
【００６７】
ここで、分割データ２Ｂが対応する前画像データＢ’に等しい場合、図５（ｂ）に示すように、分割データ２Ｂは転送されず、巡回順序の設定変更のみが行なわれる。これにより、分割データ２Ｂの転送の有無に拘わらず、次のフレーム３では、図５（ａ）、（ｂ）に示すように、サブフレームｂに続く巡回順序にしたがってサブフレームｃに対応する分割データ３Ｃが選択され、この分割データ３Ｃと前画像データＣ’とが非同一である場合に分割データ３Ｃが転送されることとなる。
【００６８】
このように、サブフレームａ，ｂ，ｃ，ｄの単位で分割した複数の分割データＡ，Ｂ，Ｃ，Ｄのうち、巡回順序にしたがって選択したサブフレームａ，ｂ，ｃまたはｄに対応し、かつ、対応する前画像データＡ’，Ｂ’，Ｃ’またはＤ’と非同一である分割データＡ，Ｂ，ＣまたはＤのみをプロジェクタ３における画像の切り替えとは非同期で転送することにより、前画像データＡ’，Ｂ’，Ｃ’またはＤ’と同じ分割データＡ，Ｂ，ＣまたはＤを間引いて転送するデータ量を低減しながらも、全てのサブフレームａ，ｂ，ｃ，ｄに対応する分割データＡ，Ｂ，Ｃ，Ｄを順番に転送することができる。
【００６９】
これによって、データ転送部２０の転送能力によって、フレームの切り替え周期内に該フレームの全ての画像データを転送することができない場合にも、プロジェクタ３において、特定のサブフレームの画像だけが更新されることを防止し、表示画像の精細さの低下を抑制することができる。
【００７０】
なお、本実施の形態では、ＣＰＵ９を搭載する図示しないマザーボードに対してグラフィックスボード１３を着脱自在に取り付けるようにしたが、これに限るものではなく、例えば、ＣＰＵ９が搭載されるマザーボード上に各種チップや回路を設けることで、グラフィックスボード１３と同様の機能を実現させるようにしてもよい。これによって、画像転送処理速度の向上を図ることができる。
【００７１】
また、画像転送処理を行なう回路を単一の半導体チップ上に形成するようにしてもよい。これにより、該回路の小型化を図り、処理速度の向上を図ることができる。
【００７２】
さらに、グラフィックスボード１３に代えて、グラフィックスボード１３と同様の機能を実現するコンピュータプログラムをメモリ１１やＨＤ１２にインストールし、このコンピュータプログラムをＣＰＵによって実行することにより分割データの転送を制御するようにしてもよい。このような場合には、図４に示す画像転送処理が、ホストコンピュータ２のＣＰＵによって実行される。
【００７３】
加えて、本実施の形態では、前画像データ格納部１８をグラフィックスボード１３内に設けるようにしたが、これに限るものではなく、例えば、メモリ１１やＨＤ１２等のホストコンピュータ２に内蔵された記憶領域に前画像データＡ’，Ｂ’，Ｃ’，Ｄ’を格納したり、ホストコンピュータ２に接続されている外部記憶装置に前画像データＡ’，Ｂ’，Ｃ’，Ｄ’を格納したり、データ処理機能を持つ外付け機器が備える記憶領域に前画像データＡ’，Ｂ’，Ｃ’，Ｄ’を格納したり、さらには、これらを組合せて複数箇所に前画像データＡ’，Ｂ’，Ｃ’，Ｄ’を格納したりすることが可能である。
【００７４】
次に、本発明の第二の実施の形態について図６ないし図８を参照して説明する。本実施の形態は、画像表示システム１への適用例を示す。本実施の形態では、選択した分割データＡ，Ｂ，ＣまたはＤと前画像データＡ’，Ｂ’，Ｃ’またはＤ’とが同一である場合に、同一の画像データＳから生成された他の分割データＡ，Ｂ，ＣまたはＤを代わりに転送するとともに、代わりに転送する分割データＡ，Ｂ，ＣまたはＤの転送が終了するタイミングと、次のフレームの画像データＳに基づく分割データＡ，Ｂ，ＣまたはＤの生成タイミングとを考慮して、代わりの分割データＡ，Ｂ，ＣまたはＤを転送する点が第一の実施の形態と異なる。なお、第一の実施の形態と同一部分は、同一符号で示し、説明も省略する。以下、同様とする。
【００７５】
図６は、本実施の形態の画像表示システム１の基本構成を示すブロック図である。本実施の形態のグラフィックスボード１３には、次のフレームの画像データＳから分割データＡ，Ｂ，ＣまたはＤを生成するまでの余裕時間を比較する機能を有する時間比較部２３が設けられている。時間比較部２３は、計時機能を有しており、この計時機能により後述する画像転送処理に際して、次のフレームの画像データＳから分割データＡ，Ｂ，ＣまたはＤの生成を開始するまでの余裕時間を取得することが可能である。また、時間比較部２３は、計時機能により、次のフレームの画像データＳから分割データの生成を開始するタイミングで、画像データ変換部１４や、画像データ選択部１６等に動作開始信号等を出力する。
【００７６】
画像データ選択部１６には、後述する画像転送処理に際して参照される優先順位設定手段としての優先順位テーブル２５（図７参照）が設けられている。優先順位テーブル２５における優先順位は、巡回順序エリア１７における巡回順序にしたがって設定され、巡回順序に該当するサブフレームａ，ｂ，ｃまたはｄを最優先とし、以下、巡回順序エリア１７における巡回順序と同じ順位となるように優先順位を設定されている。優先順位テーブル２５に設定される優先順位は、書き換え自在に記憶されている。
【００７７】
次に、グラフィックスボード１３に設けられた各部によって実行される画像転送処理について図８および図９を参照して説明する。図８は、画像転送処理を概略的に説明するフローチャートである。本実施の形態では、図８に示すように、ステップＳ３で、図３に示す巡回順序エリア１７の設定にしたがって、サブフレームａに対応する分割データＡを選択し、ステップＳ４で、取得した前画像データＡ’と選択した分割データＡとが同一であると判断した場合には、当該分割データＡの転送を行なわず、図７（ａ）に示す優先順位テーブル２５を参照して、サブフレームａの次に優先順位の高いサブフレームｂに対応する分割データＢを選択する（Ｓ９）。ここに、ステップＳ９によって、分割データ選択手段としての機能が実行される。
【００７８】
続いて、前画像データ格納部１８を参照して、画像データ比較部１９によって同一性判断処理を行なうことにより、新たに選択した分割データＢと、これに対応する新たな前画像データＢ’とを比較して、新たに取得した前画像データＢ’と新たに選択した分割データＢとが同一であるか非同一であるかを判断する（Ｓ１０）。ここに、ステップＳ１０によって、同一性判断手段としての機能が実行される。
【００７９】
新たに取得した前画像データＢ’と新たに選択した分割データＢとが非同一であると判断した場合には（Ｓ１０のＹ）、時間比較部２３によって余裕時間判断処理を行なうことにより、新たに選択した分割データＢのデータ量に基づいて、この新たに選択した分割データＢを転送するために必要とする転送時間が、次のフレームの画像データＳから分割データＡ，Ｂ，Ｃ，Ｄの生成を開始するまでの余裕時間よりも大きいか小さいかを判断し（Ｓ１１）、転送時間が余裕時間よりも大きいと判断した場合には（Ｓ１１のＹ）、ステップＳ５に進む。ここに、ステップＳ１１によって、余裕時間判断手段としての機能が実行される。
【００８０】
一方、新たに取得した前画像データＢ’と新たに選択した分割データＢとが同一であると判断した場合には（Ｓ１０のＮ）、優先順位テーブル２５を参照して、この分割データＢの優先順位が当該フレーム６ａ内で最下位であるか否かを判断し（Ｓ１２）、最下位ではない場合には（Ｓ１１のＮ）ステップＳ９に進み、最下位である場合には（Ｓ１１のＹ）ステップＳ１に進む。
【００８１】
また、本実施の形態では、ステップＳ７で、選択した分割データＡ，Ｂ，ＣまたはＤを新たな前画像データＡ’、Ｂ’，Ｃ’またはＤ’として前画像データ格納部１８に上書きして格納した後、巡回順序エリア１７における巡回順序の設定を変更するとともに、この巡回順序の設定変更に合わせて優先順位テーブル２５における優先順位の設定を更新して（Ｓ８’）、ステップＳ１に進む。
【００８２】
ステップＳ８’では、例えば、優先順位テーブル２５における優先順位が、図７（ａ）に示すように設定されていたとすると、図７（ｂ）に示すように更新する。
【００８３】
本実施の形態では、例えば、最初のフレーム１でサブフレームａに表示させる分割データ１Ａが転送され、この時点での優先順位が図７（ａ）に示す状態に設定されている場合に、次のフレーム２では、図９（ａ）に示すように、サブフレームｂに表示させる分割データ２Ｂが選択されて転送されることとなる。
【００８４】
ここで、サブフレームａの次に優先順位の高いサブフレームｂ，ｃに対応付けられる分割データ２Ｂ，２Ｃが、対応する前画像データＢ’，Ｃ’に等しい場合、分割データ２Ｂ，２Ｃは転送されず、次に優先順位の高いサブフレームｄに対応する分割データ２ｄが選択される。そして、この分割データ２Ｄが対応する前画像データＤ’と非同一である場合には、図９（ｂ）に示すように、フレーム２で分割データ２Ｄが転送される。
【００８５】
この場合、次のフレーム３では、図９（ｂ）に示すように、サブフレームｄの次に優先順位の高いサブフレームａに対応する分割データ３Ａが選択され、この分割データ３Ａと前画像データＡ’とが非同一である場合に分割データ３Ａが転送される。
【００８６】
このように、巡回順序にしたがって選択した分割データＡ，Ｂ，ＣまたはＤが、対応する前画像データＡ’，Ｂ’，Ｃ’またはＤ’と同一である場合には、対応する前画像データＡ’，Ｂ’，Ｃ’またはＤ’と非同一である分割データＡ，Ｂ，ＣまたはＤを優先順位の高い順に選択し、次のフレームの分割データＡ，Ｂ，Ｃ，Ｄの生成を開始するまでに選択した分割データＡ，Ｂ，ＣまたはＤをプロジェクタ３における画像の切り替えとは非同期で転送しきることが可能である場合に、当該分割データＡ，Ｂ，ＣまたはＤを転送することで、転送するデータ量を低減しながらも、より多くの分割データＡ，Ｂ，Ｃ，Ｄを次のフレームの分割データＡ，Ｂ，Ｃ，Ｄの生成に支障を来たすことなく転送することができる。
【００８７】
これによって、フレームの切り替え周期内に該フレームの全ての画像データＳを転送することができない場合にも、プロジェクタ３での画像更新速度の低下を抑制することができる。
【００８８】
次に、本発明の第三の実施の形態について図１０および図１１を参照して説明する。本実施の形態は、画像表示システム１への適用例を示す。本実施の形態では、選択した分割データＡ，Ｂ，ＣまたはＤと前画像データＡ’，Ｂ’，Ｃ’またはＤ’とが同一である場合に、同一の画像データＳから生成された他の分割データＡ，Ｂ，ＣまたはＤを代わりに転送するとともに、次のフレームの画像データＳに基づく分割データＡ，Ｂ，ＣまたはＤの生成タイミングを考慮して、代わりの分割データＡ，Ｂ，ＣまたはＤを転送する点が第一の実施の形態と異なる。
【００８９】
本実施の形態のフレーム切り替え周期は、データ転送部２０によってデータを転送する時間よりも長く設定されており、詳細には、一つの分割データＡ，Ｂ，ＣまたはＤの転送に要する時間の１．５倍に相当するように設定されている。
【００９０】
続いて、画像転送処理について図１０および図１１を参照して説明する。図１０は、本実施の形態の画像転送処理について概略的に説明するフローチャートである。ステップＳ７において、転送画像データ上書部２２によって該当する分割データＡ，Ｂ，ＣまたはＤを前画像データ格納部１８に上書きして格納すると、時間比較部２３によって余裕時間判断処理を行なうことにより、画像データ変換部１４によって次のフレームの画像データから分割データの生成を開始するまでの余裕時間の有無を判断する（Ｓ１３）。ここに、ステップＳ１３によって、余裕時間判断手段としての機能が実行される。本実施の形態では、分割データＡを転送した場合について説明する。
【００９１】
余裕時間があると判断した場合には（Ｓ１３のＹ）、優先順位テーブル２５を参照して、転送した分割データＡの優先順位が単一の画像データＳ内で最下位であるか否かを判断し（Ｓ１１）、最下位ではない場合には（Ｓ１４のＮ）、ステップＳ１５に進み、次に優先順位の高いサブフレームｂに対応する分割データＢを選択してステップＳ４に進む。ここに、ステップＳ１５によって、分割データ選択手段としての機能が実行される。
【００９２】
一方、余裕時間が無いと判断した場合には（Ｓ１３のＮ）、ステップＳ８に進む。
【００９３】
また、優先順位テーブル２５を参照して、転送した分割データＡの優先順位が単一の画像データＳ内で最下位であると判断した場合には（Ｓ１１のＹ）、ステップＳ１に進む。
【００９４】
本実施の形態では、例えば、優先順位テーブル２５における設定が図８（ａ）に示す状態で、最初のフレーム１でサブフレームａに表示させる分割データ１Ａを転送した後に余裕時間がある場合には、図１１（ａ）に示すように、次に優先順位の高いサブフレームｂに対応付けられる分割データ１Ｂが同じフレーム１内で転送される。
【００９５】
そして、次のフレーム２では、サブフレームｂの次に優先順位の高いサブフレームｃに対応付けられる分割データ２Ｃが選択され、この分割データ２Ｃが対応する前画像データＣ’と非同一である場合に当該分割データ２ｃが転送される。
【００９６】
ここで、例えば、サブフレームａの次に優先順位の高いサブフレームｂ，ｃに対応付けられる分割データ１Ｂ，１Ｃが、対応する前画像データＢ’，Ｃ’と同一である場合、分割データ１Ｂ，１Ｃは転送されず、この次に優先順位の高いサブフレームｄが選択され、このサブフレームｄに対応する分割データ１Ｄが非同一である場合に、図１１（ｂ）に示すように、フレーム１内で分割データ１Ｄが転送される。
【００９７】
この場合、次のフレーム２では、サブフレームｄの次に優先順位の高いサブフレームａが選択され、このサブフレームａに対応する分割データ２Ａが非同一である場合に、図１１（ｂ）に示すように、分割データ２Ａが転送される。
【００９８】
また、例えば、優先順位が図８（ａ）に示す状態に設定されており、最初のフレーム１でサブフレームａに表示させる分割データ１Ａを転送した後に余裕時間があっても、サブフレームａの次に優先順位の高いサブフレームｂ，ｃ，ｄに対応付けられる分割データ１Ｂ，１Ｃ，１Ｄが、対応する前画像データＢ’，Ｃ’，Ｄ’に等しい場合、分割データ１Ｂ，１Ｃ，１Ｄは転送されず、図１１（ｃ）に示すように、フレーム１内では分割データ１Ａのみが転送される。そして、次のフレーム２では、図１１（ｃ）に示すように、サブフレームｂに表示させる分割データ２Ｂがフレーム２の開始タイミングにタイミングを合わせて転送される。
【００９９】
このように、巡回順序にしたがって選択された分割データＡ，Ｂ，ＣまたはＤが対応する前画像データＡ’，Ｂ’，Ｃ’またはＤ’と同一である場合には、対応する前画像データＡ’，Ｂ’，Ｃ’またはＤ’と非同一である分割データＡ，Ｂ，ＣまたはＤが優先順位の高い順に選択され、この分割データＡ，Ｂ，ＣまたはＤが次のフレームの分割データＡ，Ｂ，Ｃ，Ｄの生成を開始するまでの余裕時間を利用してプロジェクタ３における画像の切り替えとは非同期で転送することにより、転送するデータ量を低減しながらも、余裕時間を有効に利用してより多くの分割データを順番に転送することができる。
【０１００】
これによって、フレームの切り替え周期内に該フレームの全ての画像データＳを転送することができない場合にも、プロジェクタ３での画像更新速度の低下を抑制することができる。
【０１０１】
次に、本発明の第四の実施の形態について図１２ないし図１４を参照して説明する。本実施の形態は、転送するデータが前画像データと同一であるか非同一であるかを分割データＡ，Ｂ，Ｃ，Ｄをさらに分割した細分割データ毎に判断する点が異なる。
【０１０２】
図１２に示すように、本実施の形態の画像データ変換部１４は、画像データＳをサブフレームａ，ｂ，ｃ，ｄに応じて分割した分割データＡ，Ｂ，Ｃ，Ｄを、さらに複数（本実施の形態では、４つ）の細分割データに分割した細分割データ細分割データＡ１〜Ａ４，Ｂ１〜Ｂ４，Ｃ１〜Ｃ４，Ｄ１〜Ｄ４を生成する。分割の方法は、図１２（ａ）に示すように画面を２×２に分割したり、図１２（ｂ）に示すように１×４に分割したりすることが可能である。
【０１０３】
なお、図１２では、分割データＡについての分割方法を示しているが、分割データＢ，Ｃ，Ｄについても同様である。
【０１０４】
前画像データ格納部１８は、後述する画像転送処理に際して、画像データ選択部１６によって選択された細分割データＡ１〜Ａ４，Ｂ１〜Ｂ４，Ｃ１〜Ｃ４，Ｄ１〜Ｄ４を、前画像データＡ１’〜Ａ４’，Ｂ１’〜Ｂ４’，Ｃ１’〜Ｃ４’，Ｄ１’〜Ｄ４’として、当該サブフレームａ，ｂ，ｃ，ｄに対応する次の細分割データＡ１〜Ａ４，Ｂ１〜Ｂ４，Ｃ１〜Ｃ４，Ｄ１〜Ｄ４が選択されるまで格納する。
【０１０５】
また、画像データ比較部１９は、取得した前画像データＡ１’〜Ａ４’，Ｂ１’〜Ｂ４’，Ｃ１’〜Ｃ４’，Ｄ１’〜Ｄ４’と選択した分割データＡ１〜Ａ４，Ｂ１〜Ｂ４，Ｃ１〜Ｃ４，Ｄ１〜Ｄ４とが同一であるか非同一であるかを細分割データＡ１〜Ａ４，Ｂ１〜Ｂ４，Ｃ１〜Ｃ４，Ｄ１〜Ｄ４毎に比較する。
【０１０６】
次に、グラフィックスボード１３で行なう画像転送処理について図１３および図１４を参照して説明する。図１３は、画像転送処理を概略的に説明するフローチャートである。まず、画像データ変換部１４によってフレーム分割処理を行なうことにより、画像データＳをサブフレームａ，ｂ，ｃ，ｄに応じて分割した分割データＡ，Ｂ，Ｃ，Ｄを、さらに複数の細分割データに分割した細分割データ細分割データＡ１〜Ａ４，Ｂ１〜Ｂ４，Ｃ１〜Ｃ４，Ｄ１〜Ｄ４を生成し（Ｓ２０）、細分割データＡ１〜Ａ４，Ｂ１〜Ｂ４，Ｃ１〜Ｃ４，Ｄ１〜Ｄ４をそれぞれ対応付けられるサブフレームａ，ｂ，ｃ，ｄ毎に区別して画像データ格納部１５に格納する（Ｓ２１）。ここに、ステップＳ２０によって、フレーム分割手段としての機能が実行される。
【０１０７】
続いて、画像データ選択部１６によってデータ選択処理を行なうことにより、巡回順序エリア１７にしたがって選択されるサブフレームａ，ｂ，ｃまたはｄに対応する分割データＡ１〜Ａ４，Ｂ１〜Ｂ４，Ｃ１〜Ｃ４またはＤ１〜Ｄ４を選択する（Ｓ２２）。ここに、細分割データ選択手段としての機能が実行される。本実施の形態では、巡回順序エリア１７にしたがってサブフレームａが選択されたものとして説明する。
【０１０８】
また、前画像データ格納部１８を参照して、選択したサブフレームａに対応付けられる細分割データＡ１〜Ａ４と同じサブフレームａに対応付けられる前画像データＡ１’〜Ａ４’を取得し、画像データ比較部１９によって同一性判断処理を行なうことにより、この前画像データＡ１’〜Ａ４’と選択した分割データ細分割データＡ１〜Ａ４とを比較して、選択した細分割データＡ１〜Ａ４中に、前画像データＡ１’〜Ａ４’と非同一である細分割データＡ１，Ａ２，Ａ３またはＡ４があるか否かを判断する（Ｓ２３）。ここに、ステップＳ２３によって、同一性判断手段としての機能が実行される。
【０１０９】
選択した分割データＡ，Ｂ，ＣまたはＤ中に、非同一である細分割データＡ１，Ａ２，Ａ３またはＡ４があると判断した場合には（Ｓ２３のＹ）、非同一であると判断された細分割データＡ１，Ａ２，Ａ３またはＡ４に、対応するサブフレームａを識別する識別データを付加して（Ｓ２４）、データ転送部２０によってデータ転送処理を行なうことにより、Ｉ／Ｆユニット４を介してプロジェクタ３に転送するとともに（Ｓ２５）、転送画像データ上書部２２によって非同一であると判断された細分割データＡ１，Ａ２，Ａ３またはＡ４を新たな前画像データＡ１’，Ａ２’，Ａ３’またはＡ４’として、前画像データ格納部１８に上書きして格納する（Ｓ２６）。ここに、ステップＳ２５によって転送制御手段としての機能が実行され、ステップＳ２６によってデータ格納手段としての機能が実行される。
【０１１０】
加えて、優先順位テーブル２５において、転送したサブフレームａに続く巡回順序が設定されているサブフレームｂが次に選択すべきサブフレームとなるように、巡回順序エリア１７における設定を変更する（Ｓ２７）。
【０１１１】
一方、選択した細分割データＡ１，Ａ２，Ａ３またはＡ４中に、非同一である細分割データＡ１，Ａ２，Ａ３またはＡ４ないと判断した場合には（Ｓ２３のＮ）、いずれの細分割データＡ１，Ａ２，Ａ３およびＡ４の転送も行なわず、ステップＳ２０に進む。
【０１１２】
本実施の形態では、例えば、最初のフレーム１でサブフレームａに表示させる分割データ１Ａを構成する細分割データＡ１〜Ａ４の全てが、対応する前画像データＡ１’〜Ａ４’と非同一であって、この時点での優先順位が図８（ａ）に示す状態に設定されている場合には、図１４（ａ）に示すように、細分割データＡ１〜Ａ４の全てを転送する。
【０１１３】
ここで、例えば、分割データ１Ａを構成する細分割データＡ１〜Ａ４のうち、細分割データＡ３が前画像データＡ３’と同一である場合、フレーム１では、図１４（ｂ）に示すように、細分割データＡ３を除いた細分割データＡ１，Ａ２，Ａ４を転送する。
【０１１４】
そして、いずれの場合にも、次のフレーム２では、サブフレームａの次に優先順位の高いサブフレームｂに対応する分割データ２Ｂの細分割データＢ１〜Ｂ４が、対応する前画像データＢ１’〜Ｂ４’と同一であるか非同一であるかが判断される。
【０１１５】
このとき、次のフレーム２で、サブフレームｂに対応する細分割データＢ１〜Ｂ４のうち、例えば、細分割データＢ２が対応する前画像データＢ２’と同一である場合、図１４（ｂ）に示すように、細分割データＢ２を除いた細分割データＢ１，Ｂ３，Ｂ４が転送される。
【０１１６】
一方、次のフレーム２で、サブフレームｂに対応する細分割データＢ１〜Ｂ４の全てが同一である場合には、図１４（ｃ）に示すように、いずれの細分割データＢ１〜Ｂ４も転送しない。
【０１１７】
この場合、次のフレーム３では、図１４（ｃ）に示すように、サブフレームｂの次に優先順位の高いサブフレームｃに対応する分割データ３Ｃの細分割データＣ１〜Ｃ４が、対応する前画像データＣ１’〜Ｃ４’と非同一であるか否かが細分割データＣ１〜Ｃ４毎に判断される。
【０１１８】
このように、サブフレームａ，ｂ，ｃ，ｄの単位で分割された複数の分割データＡ，Ｂ，Ｃ，Ｄをさらに分割した細分割データＡ１〜Ａ４，Ｂ１〜Ｂ４，Ｃ１〜Ｃ４，Ｄ１〜Ｄ４のうち、巡回順序にしたがって選択されるサブフレームａ，ｂ，ｃまたはｄに対応し、かつ、対応する前画像データＡ１’〜Ａ４’，Ｂ１’〜Ｂ４’，Ｃ１’〜Ｃ４’またはＤ１’〜Ｄ４’と非同一である細分割データＡ１〜Ａ４，Ｂ１〜Ｂ４，Ｃ１〜Ｃ４またはＤ１〜Ｄ４のみをサブフレームａ，ｂ，ｃまたはｄ毎にまとめてプロジェクタ３における画像の切り替えとは非同期で転送することにより、前画像データと同じ細分割データを間引いて転送するデータ量を低減しながらも、全てのサブフレームに対応する細分割データを順番に転送することができる。
【０１１９】
これによって、データ転送部２０の転送能力によって、フレームの切り替え周期内に該フレームの全ての画像データを転送することができない場合にも、プロジェクタ３において、特定のサブフレームの画像だけが更新されることを防止し、表示画像の精細さの低下を抑制することができる。
【０１２０】
次に、本発明の第五の実施の形態について図１５および図１６を参照して説明する。本実施の形態では、選択した細分割データＡ１〜Ａ４，Ｂ１〜Ｂ４，Ｃ１〜Ｃ４またはＤ１〜Ｄ４と前画像データＡ１’〜Ａ４’，Ｂ１’〜Ｂ４’，Ｃ１’〜Ｃ４’またはＤ１’〜Ｄ４’とが同一である場合に、同一の画像データＳから生成された他のした細分割データＡ１〜Ａ４，Ｂ１〜Ｂ４，Ｃ１〜Ｃ４またはＤ１〜Ｄ４を代わりに転送するとともに、代わりに転送する細分割データした細分割データＡ１〜Ａ４，Ｂ１〜Ｂ４，Ｃ１〜Ｃ４またはＤ１〜Ｄ４の転送が終了するタイミングと、次のフレームの画像データＳに基づく細分割データした細分割データＡ１〜Ａ４，Ｂ１〜Ｂ４，Ｃ１〜Ｃ４，Ｄ１〜Ｄ４の生成タイミングとを考慮して、代わりの細分割データした細分割データＡ１〜Ａ４，Ｂ１〜Ｂ４，Ｃ１〜Ｃ４またはＤ１〜Ｄ４を転送する点が第四の実施の形態と異なる。
【０１２１】
図１５は、本実施の形態の画像転送処理を概略的に説明するフローチャートである。ステップＳ２６で、新たな前画像データＡ１’〜Ａ４’，Ｂ１’〜Ｂ４’，Ｃ１’〜Ｃ４’またはＤ１’〜Ｄ４’を前画像データ格納部１８に上書きして格納すると、画像データ比較部１９によって同一性判断処理を行なうことにより、選択した細分割データＡ１〜Ａ４，Ｂ１〜Ｂ４，Ｃ１〜Ｃ４またはＤ１〜Ｄ４中に、対応する前画像データＡ１’〜Ａ４’，Ｂ１’〜Ｂ４’，Ｃ１’〜Ｃ４’またはＤ１’〜Ｄ４’と同一である細分割データＡ１〜Ａ４，Ｂ１〜Ｂ４，Ｃ１〜Ｃ４またはＤ１〜Ｄがあるか否かを判断する（Ｓ２８）。ここに、ステップＳ２８によって、同一性判断手段としての機能が実行される。本実施の形態では、ステップＳ２８で、細分割データＡ１〜Ａ４について、同一性を判断した場合について説明する。
【０１２２】
選択した細分割データＡ１〜Ａ４中に、前画像データＡ１’〜Ａ４’とが同一の細分割データＡ１，Ａ２，Ａ３またはＡ４があると判断した場合には（Ｓ２８のＹ）、優先順位テーブル２５を参照して、同一の細分割データＡ１，Ａ２，Ａ３またはＡ４があると判断したサブフレームａの次に優先順位の高いサブフレームｂに対応する細分割データＢ１〜Ｂ４を選択する（Ｓ２９）。ここに、ステップＳ２９によって、細分割データ選択手段としての機能が実行される。
【０１２３】
続いて、前画像データ格納部１８を参照して、新たに選択した細分割データＢ１〜Ｂ４中に、この細分割データＢ１〜Ｂ４と同じサブフレームｂに対応付けられる新たな前画像データＢ１’〜Ｂ４’と非同一の細分割データＢ１，Ｂ２，Ｂ３またはＢ４があるか否かを判断する（Ｓ３０）。ここに、ステップＳ３０によって、同一性判断手段としての機能が実行される。
【０１２４】
非同一の細分割データＢ１，Ｂ２，Ｂ３またはＢ４がないと判断した場合には（Ｓ３０のＮ）、ステップＳ２７’に進む。
【０１２５】
ステップＳ２７’では、例えば、巡回順序エリア１７において設定される選択すべきサブフレームの設定を変更するとともに、変更した巡回順序にしたがって優先順位テーブル２５における優先順位の設定を更新する。
【０１２６】
一方、非同一の細分割データＢ１，Ｂ２，Ｂ３またはＢ４があると判断した場合には（Ｓ３０のＹ）、非同一であると判断した細分割データＢ１，Ｂ２，Ｂ３またはＢ４をサブフレームｂの単位でまとめた合計のデータ量に基づいて、時間比較部２３で余裕時間判断処理を行なうことにより、これらの合計データを転送するために必要とする転送時間が、次の画像データＳから細分割データＡ１〜Ａ４，Ｂ１〜Ｂ４，Ｃ１〜Ｃ４，Ｄ１〜Ｄ４の生成開始までの余裕時間よりも大きいか小さいかを判断する（Ｓ３１）。ここに、余裕時間判断手段としての機能が実行される。
【０１２７】
転送時間が余裕時間よりも大きいと判断した場合には（Ｓ３１のＹ）、ステップＳ３２に進み、識別データを付加した後（Ｓ３２）、非同一であると判断した細分割データＢ１，Ｂ２，Ｂ３またはＢ４を転送し（Ｓ３３）、転送した細分割データＢ１，Ｂ２，Ｂ３またはＢ４を転送画像データ上書部２２に上書きして（Ｓ３４）、ステップＳ２７’に進む。ここに、ステップＳ３３によって転送制御手段としての機能が実行され、ステップＳ３４によってデータ格納手段としての機能が実行される。
【０１２８】
一方、転送時間が余裕時間よりも小さいと判断した場合には（Ｓ３１のＮ）、ステップＳ２７に進む。
【０１２９】
また、選択した新たな分割データＢ１〜Ｂ４中に、前画像データＢ１’〜Ｂ４’と非同一である細分割データＢ１，Ｂ２，Ｂ３またはＢ４がないと判断した場合には（Ｓ３０のＮ）、ステップＳ２９に進む。
【０１３０】
本実施の形態では、例えば、最初のフレーム１でサブフレームａに表示させる分割データ１Ａを構成する細分割データＡ１〜Ａ４のうち、細分割データＡ１，Ａ４が、対応する前画像データＡ１’，Ａ４’と非同一であって、この時点での優先順位が図８（ａ）に示す状態に設定されている場合には、サブフレームａの次に優先順位の高いサブフレームｂに対応する細分割データＢ１〜Ｂ４が、前画像データＢ１’〜Ｂ４’と同一であるか非同一であるかが判断される。
【０１３１】
このとき、細分割データＢ１〜Ｂ４のうち、細分割データＢ２，Ｂ４が前画像データＢ２’，Ｂ４’と非同一である場合、フレーム１では、図１６（ｂ）に示すように、細分割データＡ１，Ａ４と細分割データＢ２，Ｂ４とが転送される。
【０１３２】
そして、次のフレーム２では、サブフレームｂの次に優先順位の高いサブフレームｃに対応する細分割データＣ１〜Ｃ４が、対応する前画像データＣ１’〜Ｃ４’と同一であるか非同一であるか否かが判断される。ここで、サブフレームｃに対応する細分割データＣ１〜Ｃ４のうち、例えば、細分割データＣ１，Ｃ３，Ｃ４が非同一であって、サブフレームｃの次に優先順位の高いサブフレームｄに対応する分割データＤを構成する細分割データＤ１，Ｄ２が非同一である場合、細分割データＣ１，Ｃ３，Ｃ４に加えて細分割データＤ１，Ｄ２を転送してしまうと、余裕時間を超過してしまうため、フレーム２では、図１６（ｂ）に示すように、細分割データＣ１，Ｃ３，Ｃ４のみを転送する。
【０１３３】
この場合、次のフレーム３では、図１６（ｂ）に示すように、サブフレームｃの次に優先順位の高いサブフレームｄに対応する分割データ３Ｄを構成する細分割データＤ１〜Ｄ４をフレーム３の開始タイミングにタイミングを合わせて転送する。
【０１３４】
このように、巡回順序にしたがって選択された細分割データＡ１〜Ａ４，Ｂ１〜Ｂ４，Ｃ１〜Ｃ４またはＤ１〜Ｄ４中に非同一であると判断された細分割データＡ１〜Ａ４，Ｂ１〜Ｂ４，Ｃ１〜Ｃ４またはＤ１〜Ｄ４がある場合には、対応する前画像データＡ１’〜Ａ４’，Ｂ１’〜Ｂ４’，Ｃ１’〜Ｃ４またはＤ１’〜Ｄ４’と非同一である細分割データＡ１〜Ａ４，Ｂ１〜Ｂ４，Ｃ１〜Ｃ４またはＤ１〜Ｄ４が優先順位の高い順に選択され、選択された細分割データＡ１〜Ａ４，Ｂ１〜Ｂ４，Ｃ１〜Ｃ４またはＤ１〜Ｄ４を次のフレームの細分割データＡ１〜Ａ４，Ｂ１〜Ｂ４，Ｃ１〜Ｃ４，Ｄ１〜Ｄ４の生成が開始されるまでにサブフレームａ，ｂ，ｃまたはｄ毎にまとめて転送しきることが可能である場合に、当該細分割データＡ１〜Ａ４，Ｂ１〜Ｂ４，Ｃ１〜Ｃ４またはＤ１〜Ｄ４をサブフレームａ，ｂ，ｃまたはｄ毎にまとめてプロジェクタ３における画像の切り替えとは非同期で転送することにより、転送するデータ量を低減しながらも、より多くの細分割データを次のフレームの分割データの生成に支障を来たすことなく転送することができる。
【０１３５】
これによって、フレームの切り替え周期内に該フレームの全ての画像データＳを転送することができない場合にも、プロジェクタ３での画像更新速度の低下を抑制することができる。
【０１３６】
次に、本発明の第六の実施の形態について図１７および図１８を参照して説明する。本実施の形態の画像表示システムは、画像データＳを細分割データＡ１〜Ａ４，Ｂ１〜Ｂ４，Ｃ１〜Ｃ４，Ｄ１〜Ｄ４単位で転送することにより生じる時間を利用して、次に優先順位の高いサブフレームａ，ｂ，ｃまたはｄに対応する細分割データＡ１〜Ａ４，Ｂ１〜Ｂ４，Ｃ１〜Ｃ４またはＤ１〜Ｄ４を極力多く転送する点が第四の実施の形態と異なる。
【０１３７】
図１７は、本実施の形態の画像転送処理を概略的に説明するフローチャートである。ステップＳ２６で、新たな前画像データＡ１’〜Ａ４’，Ｂ１’〜Ｂ４’，Ｃ１’〜Ｃ４’，Ｄ１’〜Ｄ４’を前画像データ格納部１８に上書きして格納すると、時間比較部２３によって余裕時間判断処理を行なうことにより、次のフレームの画像データＳから細分割データＡ１〜Ａ４，Ｂ１〜Ｂ４，Ｃ１〜Ｃ４またはＤ１〜Ｄ４を生成するまでの余裕時間の有無を判断する（Ｓ３５）。ここに、余裕判断手段としての機能が実行される。
【０１３８】
次のフレームの画像データＳから細分割データＡ１〜Ａ４，Ｂ１〜Ｂ４，Ｃ１〜Ｃ４またはＤ１〜Ｄ４を生成するまでの余裕時間があると判断した場合には（Ｓ３５のＹ）、優先順位テーブル１７を参照して、画像データ格納部１５に格納された細分割データＡ１〜Ａ４，Ｂ１〜Ｂ４，Ｃ１〜Ｃ４またはＤ１〜Ｄ４から、次に優先順位の高いサブフレームａ，ｂ，ｃまたはｄに対応する分割データＡ１〜Ａ４，Ｂ１〜Ｂ４，Ｃ１〜Ｃ４またはＤ１〜Ｄ４を選択し（Ｓ３６）、ステップＳ２３に進む。ここに、ステップＳ３５によって、細分割データ選択手段としての機能が実行される。
【０１３９】
一方、次のフレームの画像データＳから細分割データＡ１〜Ａ４，Ｂ１〜Ｂ４，Ｃ１〜Ｃ４またはＤ１〜Ｄ４を生成するまでの余裕時間がないと判断した場合には（Ｓ３５のＮ）、ステップＳ２７に進む。
【０１４０】
本実施の形態では、例えば、最初のフレーム１でサブフレームａに表示させる細分割データＡ１〜Ａ４の全てが前画像データＡ１’〜Ａ４’と非同一であって、この時点での優先順位が図８（ａ）に示す状態に設定されている場合には、図１８（ａ）に示すように、細分割データＡ１〜Ａ４の全てが転送される。
【０１４１】
ここで、例えば、細分割データＡ１〜Ａ４ののうち、細分割データＡ２のみが前画像データＡ２’と非同一である場合、図１８（ｂ）に示すように、細分割データＡ１のみが転送される。
【０１４２】
そして、この時点での優先順位が図８（ａ）に示す状態に設定されているので、サブフレームａの次に優先順位の高いサブフレームｂに対応する細分割データＢ１〜Ｂ４と前画像データＢ１’〜Ｂ４’と同一であるか非同一であるか否かを判断する。図１８（ｂ）では、細分割データＢ１，Ｂ４が非同一である場合を示しており、この場合には細分割データＢ１，Ｂ４を転送する。
【０１４３】
さらに、この時点のフレーム１にはまだ余裕時間があるため、サブフレームｂの次に優先順位の高いサブフレームｃに対応する細分割データＣ１〜Ｃ４が前画像データＣ１’〜Ｃ４’と同一であるか非同一であるかを判断する。図１８（ｂ）では、細分割データＣ１，Ｃ３，Ｃ４が非同一である場合を示しており、この場合には細分割データＣ１，Ｃ３，Ｃ４を転送する。
【０１４４】
このとき、画像データ変換部１４では、次のフレーム２の画像データＳからの細分割データＡ１〜Ａ４，Ｂ１〜Ｂ４，Ｃ１〜Ｃ４，Ｄ１〜Ｄ４の生成が開始されている。
【０１４５】
そして、フレーム２では、サブフレームｃの次に優先順位の高いサブフレームｄに対応する細分割データＤ１〜Ｄ４が前画像データＤ１’〜Ｄ４’と同一であるか非同一であるか否かを判断し、その結果非同一である細分割データＤ１〜Ｄ４を転送する。
【０１４６】
このように、巡回順序にしたがって選択された細分割データＡ１〜Ａ４，Ｂ１〜Ｂ４，Ｃ１〜Ｃ４またはＤ１〜Ｄ４中に非同一であると判断された細分割データＡ１〜Ａ４，Ｂ１〜Ｂ４，Ｃ１〜Ｃ４またはＤ１〜Ｄ４がある場合には、対応する前画像データＡ１’〜Ａ４’，Ｂ１’〜Ｂ４’，Ｃ１’〜Ｃ４’またはＤ１’〜Ｄ４’と非同一である細分割データＡ１〜Ａ４，Ｂ１〜Ｂ４，Ｃ１〜Ｃ４またはＤ１〜Ｄ４を優先順位の高い順に選択して、この細分割データＡ１〜Ａ４，Ｂ１〜Ｂ４，Ｃ１〜Ｃ４またはＤ１〜Ｄ４を次のフレームの細分割データＡ１〜Ａ４，Ｂ１〜Ｂ４，Ｃ１〜Ｃ４，Ｄ１〜Ｄ４の生成を開始するまでの余裕時間を利用してサブフレームａ，ｂ，ｃまたはｄ毎にまとめてプロジェクタ３における画像の切り替えとは非同期で転送することにより、転送するデータ量を低減しながらも画像データ全体での間引き量を抑制するとともに、余裕時間を有効に利用して全てのサブフレームａ，ｂ，ｃ，ｄに対応する細分割データＡ１〜Ａ４，Ｂ１〜Ｂ４，Ｃ１〜Ｃ４，Ｄ１〜Ｄ４を順番に転送することができる。
【０１４７】
これによって、フレームの切り替え周期内に該フレームの全ての画像データＳを転送することができない場合にも、プロジェクタ３での画像更新速度の低下を抑制することができる。
【０１４８】
次に、本発明の第七の実施の形態について図１９を参照して説明する。本実施の形態では、前画像データＡ’，Ｂ’，Ｃ’，Ｄ’との比較により非同一であると判断された分割データＡ，Ｂ，Ｃ，Ｄを差分圧縮して、差分圧縮した分割データＡ，Ｂ，Ｃ，Ｄをプロジェクタ３側に転送する点が異なる。公知の技術であるため説明を省略するが、差分圧縮とは、各分割データＡ，Ｂ，ＣまたはＤから、前画像データＡ’，Ｂ’，Ｃ’またはＤ’に対して異なるデータを抜き出し、抜き出したデータに対して圧縮を行なう処理を意味する。圧縮の規格としては、例えば、ＣｉｎｅｐａｃｋやＭＰＥＧ等がある。差分圧縮では、特に、動きの少ない動画等に対して、高画質を保持したままデータ量を低減することができる。
【０１４９】
プロジェクタ３は、ホストコンピュータ２から転送される差分圧縮された分割データＡ，Ｂ，Ｃ，Ｄを、伸長（解凍）する機能を有している。プロジェクタ３は、伸長した分割データＡ，Ｂ，Ｃ，Ｄを記憶手段８に展開する。
【０１５０】
なお、本実施の形態では、グラフィックスボード１３に差分圧縮機能を持たせ、プロジェクタ３に差分圧縮された画像データＳを伸長（解凍）する機能を持たせるようにしたが、これに限るものではなく、例えば、転送する画像データに解凍プログラムを組み込んだ自己解凍ファイル形式として画像データＳを転送する機能をグラフィックスボード１３上に持たせるようにしてもよい。これにより、プロジェクタ３側に伸長（解凍）機能を持たせる必要がない。
【０１５１】
図１９は、本実施の形態の画像転送処理を概略的に説明するフローチャートである。ステップＳ４で、取得した前画像データＡ’，Ｂ’，Ｃ’またはＤ’と選択した分割データＡ，Ｂ，ＣまたはＤとが非同一であると判断した場合には、
非同一であると判断した分割データＡ，Ｂ，ＣまたはＤから、前画像データＡ’，Ｂ’，Ｃ’またはＤ’と異なる差分データのみを抜き出し、抜き出した差分データに圧縮を行ない（Ｓ４０）、ステップＳ５に進む。ここに、ステップＳ４０によって、圧縮手段としての機能が実行される。これにより、前画像データＡ’，Ｂ’，Ｃ’またはＤ’と異なる差分データのみが圧縮された圧縮差分画像データを転送することができ、転送するデータ量の一層の低減を図ることができる。
【０１５２】
また、本実施の形態では、ステップＳ７において、前画像データＡ’，Ｂ’，Ｃ’，Ｄ’として圧縮差分画像データを上書き格納する。
【０１５３】
プロジェクタ３は、ホストコンピュータ２から転送される圧縮差分画像データを記憶手段８に展開し、対応する部分のデータを書き換える。
【０１５４】
このように、前画像データＡ’，Ｂ’，Ｃ’またはＤ’と非同一である分割データＡ，Ｂ，ＣまたはＤを差分圧縮してプロジェクタ３における画像の切り替えとは非同期で転送することにより、転送するデータ量を一層低減することができる。
【０１５５】
次に、本発明の第八の実施の形態について図２０を参照して説明する。図２０は、本実施の形態の画像転送処理を概略的に説明するフローチャートである。ステップＳ４で、取得した前画像データＡ’，Ｂ’，Ｃ’またはＤ’と選択した分割データＡ，Ｂ，ＣまたはＤとが非同一であると判断した場合には、非同一であると判断した分割データＡ，Ｂ，ＣまたはＤから、前画像データＡ’，Ｂ’，Ｃ’またはＤ’と異なる差分データのみを抜き出し、抜き出した差分データに圧縮を行ない（Ｓ４０）、ステップＳ５に進む。圧縮差分画像データを転送することにより、単一のフレーム内でより多くの分割データＡ，Ｂ，ＣまたはＤをプロジェクタ３における画像の切り替えとは非同期で転送することができるので、プロジェクタ３での画像の更新速度の低下を一層効果的に抑制することができる。
【０１５６】
次に、本発明の第九の実施の形態について図２１を参照して説明する。本実施の形態は、画像表示装置への適用例を示す。
【０１５７】
図２１は、本実施の形態の画像表示装置の基本構成を示すブロック図である。本実施の形態の画像表示装置３０は、画像表示装置３０が備える各部を駆動制御するＣＰＵ９を備えている。ＣＰＵ９には、バスライン１０を介して、制御プログラムや各種データを格納するメモリ１１およびＨＤ１２に加えて、画像データ処理装置としてのグラフィックスボード１３、表示データ記憶手段としての記憶手段８を備える映像信号処理回路７、表示手段としての表示部６等が接続されている。グラフィックスボード１３は、画像表示装置３０に対して、着脱自在に取り付けられている。
【０１５８】
このような構成において、グラフィックスボード１３は、生成した分割データＡ，Ｂ，Ｃ，Ｄのうち優先順位が高くかつ前画像データと非同一である分割データＡ，Ｂ，ＣまたはＤを、バスライン１０を介して、映像信号処理回路７に転送する。映像信号処理回路７は、ＣＰＵ９によって駆動制御されて、転送された画像データを記憶手段８に展開する。表示部６は、ＣＰＵ９によって駆動制御されて、映像信号処理回路７により記憶手段８に展開された画像データに基づいて、サブフレームａ，ｂ，ｃ，ｄ単位で画像を切り替え表示する。
【０１５９】
【発明の効果】
請求項１記載の発明の画像データ処理装置によれば、サブフレームの単位で分割した複数の分割データのうち、巡回順序にしたがって選択したサブフレームに対応し、かつ、対応する前画像データと非同一である分割データのみを画像表示装置における画像の切り替えとは非同期で転送することにより、前画像データと同じ分割データを間引いて転送するデータ量を低減しながらも、全てのサブフレームに対応する分割データを順番に転送することが可能になるので、転送手段の転送能力によって、フレームの切り替え周期内に該フレームの全ての画像データを転送することができない場合にも、画像表示装置において、特定のサブフレームの画像だけが更新されることを防止し、表示画像の精細さの低下を抑制することができる。
【０１６０】
請求項２記載の発明によれば、請求項１記載の画像データ処理装置において、巡回順序にしたがって選択した分割データが対応する前画像データと同一である場合には、対応する前画像データと非同一である分割データを優先順位の高い順に選択し、この分割データを次のフレームの分割データの生成が開始されるまでに転送することにより、転送するデータ量を低減しながらも、より多くの分割データを次のフレームの分割データの生成に支障を来たすことなく転送することが可能になるので、フレームの切り替え周期内に該フレームの全ての画像データを転送することができない場合にも、画像表示装置での画像更新速度の低下を抑制することができる。
【０１６１】
請求項３記載の発明によれば、請求項１記載の画像データ処理装置において、巡回順序にしたがって選択した分割データが対応する前画像データと同一である場合には、対応する前画像データと非同一である分割データを優先順位の高い順に選択して、この分割データを次のフレームの分割データの生成を開始するまでの余裕時間を利用して転送することにより、転送するデータ量を低減しながらも、余裕時間を有効に利用してより多くの分割データを転送することが可能になるので、フレームの切り替え周期内に該フレームの全ての画像データを転送することができない場合にも、画像表示装置での画像更新速度の低下を抑制することができる。
【０１６２】
請求項４記載の発明によれば、請求項１ないし３のいずれか一に記載の画像データ処理装置において、前画像データと非同一である分割データを差分圧縮して転送することにより、転送するデータ量を一層低減することができる。また、請求項２または３に記載の発明のように、巡回順序にしたがって選択された分割データが対応する前画像データと同一である場合に、対応する前画像データと非同一である分割データを優先順位の高い順に転送することにより、より多くの分割データを転送することが可能になるので、画像データ全体での間引き量を抑えて、画像表示装置での画像更新速度の低下をより効果的に抑制することができる。
【０１６３】
請求項５記載の発明の画像データ処理装置によれば、サブフレームの単位で分割した複数の分割データをさらに分割した細分割データのうち、巡回順序にしたがって選択したサブフレームに対応し、かつ、対応する前画像データと非同一である細分割データのみをサブフレーム毎にまとめて画像表示装置における画像の切り替えとは非同期で転送することにより、転送するデータ量を低減しながらも、全てのサブフレームに対応する細分割データを順番に転送することが可能になるので、転送手段の転送能力によって、フレームの切り替え周期内に該フレームの全ての画像データを転送することができない場合にも、画像表示装置において、特定のサブフレームの画像だけが更新されることを防止し、表示画像の精細さの低下を抑制することができる。
【０１６４】
請求項６記載の発明によれば、請求項５記載の画像データ処理装置において、巡回順序にしたがって選択された細分割データ中に非同一であると判断された細分割データがある場合には、対応する前画像データと非同一である細分割データを優先順位の高い順に選択して、この細分割データをサブフレーム毎にまとめて次のフレームの分割データの生成が開始するまでに転送することにより、転送するデータ量を低減しながらも、より多くの細分割データを次のフレームの分割データの生成に支障を来たすことなく転送することが可能になるので、フレームの切り替え周期内に該フレームの全ての画像データを転送することができない場合にも、画像表示装置での画像更新速度の低下を抑制することができる。
【０１６５】
請求項７記載の発明によれば、請求項５記載の画像データ処理装置において、巡回順序にしたがって選択された細分割データ中に非同一であると判断された細分割データがある場合には、対応する前画像データと非同一である細分割データを優先順位の高い順に選択して、この分割データを次のフレームの細分割データの生成を開始するまでの余裕時間を利用してサブフレーム毎にまとめて転送することにより、転送するデータ量を低減しながらも、余裕時間を有効に利用してより多くの細分割データを転送することが可能になるので、フレームの切り替え周期内に該フレームの全ての画像データを転送することができない場合にも、画像表示装置での画像更新速度の向上を図ることができる。
【０１６６】
請求項８記載の発明の基板によれば、必要に応じて、画像表示装置に通信可能に接続される外部接続装置が備える主基板に対して基板を後付けすることが可能になるので、外部接続装置の製造時のコストを低減することができる。
【０１６７】
請求項９記載の発明のグラフィックスボードによれば、必要に応じて、画像表示装置に通信可能に接続される外部接続装置が備える主基板に対して、グラフィックスボードを後付けすることが可能になるので、外部接続装置の製造時のコストを低減することができる。
【０１６８】
請求項１０記載の発明の外部接続装置によれば、画像表示装置とは別の独立した外部接続装置とすることにより、画像表示装置の仕様によってデータ転送に制限が生じることを低減することができる。
【０１６９】
請求項１１記載の発明の主基板によれば、上述した画像データ転送を行なう回路を画像表示装置に通信可能に接続される外部接続装置が備える主基板に設けることにより、処理速度の向上を図るとともに、外部接続装置が有する基板数を増加させることなく上述した画像データ転送を行なうことができるので、外部接続装置の製造コストの低減を図ることができる。
【０１７０】
請求項１２記載の発明によれば、請求項１１記載の主基板において、上述した画像データ転送を行なう回路を単一の半導体チップ上に形成することにより、該回路の小型化を図り、処理速度の向上を図ることができる。
【０１７１】
請求項１３記載の発明の画像表示装置によれば、請求項１ないし７のいずれか一に記載の発明と同等の効果を得ることができる。
【０１７２】
請求項１４記載の発明の画像表示システムによれば、画像データ処理装置を画像表示装置とは別に独立させることにより、画像表示装置の仕様によってデータ転送に制限が生じることを低減するとともに、請求項１ないし７のいずれか一に記載の発明と同等の効果を得ることができる。
【０１７３】
請求項１５記載の発明のコンピュータプログラムによれば、サブフレームの単位で分割させた複数の分割データのうち、巡回順序にしたがって選択させたサブフレームに対応し、かつ、対応する前画像データと非同一である分割データのみを画像表示装置における画像の切り替えとは非同期で転送させることにより、前画像データと同じ分割データを間引いて転送するデータ量を低減しながらも、全てのサブフレームに亘って分割データを順番に転送することが可能になるので、画像表示装置において、特定のサブフレームの画像だけが更新されることを防止し、表示画像の精細さの低下を抑制することができる。
【図面の簡単な説明】
【図１】本発明の第一の実施の形態の画像表示システムの基本構成を示すブロック図である。
【図２】単一のフレームの画像データ、この画像データからサブフレームに応じて生成される分割データ、および、これらの分割データに基づいて表示されるサブフレームを示す説明図である。
【図３】巡回順位エリアを示す説明図である。
【図４】画像転送処理について概略的に説明するフローチャートである。
【図５】データ転送方法の一例を示す説明図である。
【図６】本発明の第二の実施の形態の画像表示システムの基本構成を示すブロック図である。
【図７】優先順位テーブルのデータ構造を示す説明図である。
【図８】画像転送処理について概略的に説明するフローチャートである。
【図９】データ転送方法の一例を示す説明図である。
【図１０】本発明の第三の実施の形態の画像転送処理について概略的に説明するフローチャートである。
【図１１】データ転送方法の一例を示す説明図である。
【図１２】本発明の第四の実施の形態の分割データからの細分割データの生成について示す説明図である。
【図１３】画像転送処理を概略的に説明するフローチャートである。
【図１４】データ転送方法の一例を示す説明図である。
【図１５】本発明の第五の実施の形態の画像転送処理を概略的に説明するフローチャートである。
【図１６】データ転送方法の一例を示す説明図である。
【図１７】本発明の第六の実施の形態の画像転送処理を概略的に説明するフローチャートである。
【図１８】データ転送方法の一例を示す説明図である。
【図１９】本発明の第七の実施の形態の画像転送処理を概略的に説明するフローチャートである。
【図２０】本発明の第八の実施の形態の画像転送処理を概略的に説明するフローチャートである。
【図２１】本発明の第九の実施の形態の画像表示装置の基本構成を示すブロック図である。
【符号の説明】
１　　　画像表示システム
３　　　画像表示装置
５　　　受信手段
６　　　表示手段
８　　　表示データ記憶手段
１３　　　画像データ処理装置
３０　　　画像表示装置
【図１】
2004015466.tif 000003
【図２】
2004015466.tif 000004
【図３】
2004015466.tif 000005
【図４】
2004015466.tif 000006
【図５】
2004015466.tif 000007
【図６】
2004015466.tif 000008
【図７】
2004015466.tif 000009
【図８】
2004015466.tif 000010
【図９】
2004015466.tif 000011
【図１０】
2004015466.tif 000012
【図１１】
2004015466.tif 000013
【図１２】
2004015466.tif 000014
【図１３】
2004015466.tif 000015
【図１４】
2004015466.tif 000016
【図１５】
2004015466.tif 000017
【図１６】
2004015466.tif 000018
【図１７】
2004015466.tif 000019
【図１８】
2004015466.tif 000020
【図１９】
2004015466.tif 000021
【図２０】
2004015466.tif 000022
【図２１】
2004015466.tif 000023